(57)【要約】  肛門周囲瘻孔治療装置は、コイルおよび排液シートンで構成されている。コイルのテーパー部の大きい方の直径は、瘻孔管の内部開口を取り囲む組織表面に当接されている。送達機構の送達器具がコイルを回転させる。インプラントコイルは、巻戻し防止構造３０２を有している。コイルは、管の周囲の組織を内向きに圧縮することによって瘻孔の内部開口部を閉鎖し、異物に対して不浸透性のシールを生成すべく近付くように組織が運ばれ、近付けられた瘻孔管に亘って組織成長を促進する。排液シートンは、圧縮範囲または領域に設けられたアンカー機構を有していてもよい。シートンは、治癒過程中に膿瘍および残存するかまたは新たに形成された滲出液および瘻孔管からの流体を排出するための導管を提供する。【選択図】図６２
2019520107.tif 000002
【特許請求の範囲】
【請求項１】
シートンをその場で固定するための固定構造を有する、排水シートン。
【請求項２】
前記固定構造は、前記シートンの圧縮範囲または領域に設けられた、請求項１に記載のシートン。
【請求項３】
前記固定構造は、結び目、返し、または針のうちの１つ以上のような、前記シートン上の段または突起を含む、請求項１または２に記載のシートン。
【請求項４】
前記シートンは中空である、請求項１乃至３のいずれか１項に記載のシートン。
【請求項５】
前記シートンは中実である、請求項１乃至４のいずれか１項に記載のシートン。
【請求項６】
前記シートンは複数の周囲孔を有する、請求項１乃至５のいずれか１項に記載のシートン。
【請求項７】
前記シートンの断面の形状は、円形、楕円形、星形、および十字形の１つ以上から選択された、請求項１乃至６のいずれか１項に記載のシートン。
【請求項８】
前記シートンは複数の要素を含む、請求項１乃至７のいずれか１項に記載のシートン。
【請求項９】
前記シートンの前記要素は編組されている、請求項８に記載のシートン。
【請求項１０】
前記シートンの少なくとも一部が生体吸収性であり、ある場合には前記シートンは異なる生体吸収に適合し、前記シートンの近位部分は生体吸収性であり得る、請求項１乃至９のいずれか１項に記載のシートン。
【請求項１１】
請求項１乃至１０のいずれか１項に記載のシートンとインプラントコイルとを含む治療装置において、前記シートンは前記コイルから延在していてもよい、治療装置。
【請求項１２】
請求項１乃至１０のいずれか１項に記載のシートンと、瘻孔を囲むバルク組織に挿入されるように構成されたインプラントコイルとを備えた、瘻孔治療装置。
【請求項１３】
前記インプラントコイルは、ドライバと係合するように構成されたドライバインターフェース部を備えた、請求項１１または１２に記載の治療装置。
【請求項１４】
前記インプラントコイルは、巻き戻し防止構造を備えた、請求項１１乃至１３のいずれか１項に記載の治療装置。
【請求項１５】
請求項１４に記載の装置において、前記巻き戻し防止構造は、
返し、矢じり、または釣り針等の構造等のポジティブな構造、
とい、スロット、または溝等のネガティブな構造、
表面粗面化等の表面特徴、
の１つ以上から選択された、装置。
【請求項１６】
請求項１４または１５に記載の装置において、瘻孔を取り囲むバルク組織に挿入されるように構成されたテーパー部と、瘻孔を囲む組織を内側に引っ張るための前記コイルを回転させるためのドライバと係合するように構成されたドライバインターフェース部とを備えた、装置。
【請求項１７】
前記コイルの前記ドライバインターフェース部は、その長さに沿って実質的に均一な横方向範囲を有する、請求項１６に記載の装置。
【請求項１８】
前記コイルは、先端部、遷移領域、および後端部を有し、前記コイルの前記テーパー部は、前記先端部から前記遷移領域まで延在し、前記ドライバインターフェース部は、前記遷移領域から延在している、請求項１６または１７に記載の装置。
【請求項１９】
前記コイルの前記テーパー部は、前記先端部と前記移行領域との間の横方向範囲が減少する、請求項１８に記載の装置。
【請求項２０】
前記テーパー部の前記先端部は、尖った組織挿入先端を有する、請求項１９に記載の装置。
【請求項２１】
前記コイルの少なくとも前記ドライバインターフェース部は中実である、請求項１６乃至２０のいずれか１項に記載の装置。
【請求項２２】
前記コイルの少なくともドライバインターフェース部は中空である、請求項１６乃至２１のいずれか１項に記載の装置。
【請求項２３】
前記コイルが中実である、請求項１１乃至２２のいずれか１項に記載の装置。
【請求項２４】
前記コイルが中空である、請求項１１乃至２２のいずれか１項に記載の装置。
【請求項２５】
前記コイルの断面の形状は、円形、楕円形、三角形、多角形、およびリボン状のうちの１つ以上から選択された、請求項１１乃至２４のいずれか１項に記載の装置。
【請求項２６】
前記コイルの少なくとも一部が生体吸収性を有する、請求項１１乃至２５のいずれか１項に記載の装置。
【請求項２７】
前記コイルの少なくとも一部が生体吸収性を有し、前記シートンの少なくとも一部は前記コイルの生体吸収に先立って生体吸収するように構成された、請求項１１乃至２６のいずれか１項に記載の装置。
【請求項２８】
請求項１１乃至２７のいずれか１項に記載の瘻孔治療装置と、前記コイルを回転させて瘻孔周囲の組織を内側に引っ張るドライバ器具とを備えた、瘻孔治療システム。
【請求項２９】
前記ドライバ器具は、前記インプラントコイルのドライバインターフェースと係合するように構成されたドライバコイルを備えた、請求項２８に記載のシステム。
【請求項３０】
前記ドライバコイルの前記外面の少なくとも一部が潤滑性を有する、請求項２９に記載のシステム。
【請求項３１】
前記インプラントコイルを送達するために前記ドライバコイルを前記インプラントコイルに一時的に固定するための、前記ドライバコイルおよび／または前記インプラントコイル上に係合構造を備えた、請求項２９または３０に記載のシステム。
【請求項３２】
前記ドライバコイルは、前記インプラントコイルの対応する前記ドライバインターフェース部分との係合のために、その長さに沿って実質的に均一な横方向幅を有する、請求項２９乃至３１のいずれか１項に記載のシステム。
【請求項３３】
前記ドライバコイルは中空であり、前記インプラントコイルの対応する前記ドライバインターフェース部は中実である、請求項２９乃至３２のいずれか１項に記載のシステム。
【請求項３４】
前記ドライバコイルは中実であり、前記インプラントコイルの対応する前記ドライバインターフェース部は中空である、請求項２９乃至３２のいずれか１項に記載のシステム。
【請求項３５】
請求項１１乃至３４のいずれか１項に記載の瘻孔治療装置と、前記インプラントの送達のために前記粘膜組織を安定させるための組織安定化装置とを含む、瘻孔治療システム。
【請求項３６】
前記安定化装置は、送達前に前記インプラントを取り囲む中空要素を備えた、請求項３５に記載のシステム。
【請求項３７】
前記中空要素は、粘膜表面に圧力を加えるように適合されており、ばね付勢されていてもよい、請求項３６に記載のシステム。
【請求項３８】
前記粘膜表面と接触する前記中空要素の前表面は、前記粘膜表面との相互作用のために構成されて、前記粘膜内層の回転および／またはねじれを防止する、請求項３６または３７に記載のシステム。
【請求項３９】
前記中空要素は、前記粘膜表面を貫通するための構造を備えた、請求項３７または３８に記載のシステム。
【請求項４０】
巻戻し防止構造を有するインプラントコイルを備えた、肛門周囲瘻孔治療装置。
【請求項４１】
前記巻戻し防止構造は、
返し、矢じり、または釣り針のような構造等のポジティブな構造、
とい、スロット、または溝等のネガティブな構造、
表面粗面化等の表面特徴、
の１つ以上から選択された、請求項４０に記載の装置。
【請求項４２】
請求項４０または４１に記載の装置において、瘻孔を取り囲むバルク組織に挿入されるように構成されたテーパー部と、瘻孔を囲む組織を内側に引っ張るための前記コイルを回転させるためのドライバと係合するように構成されたドライバインターフェース部とを備えた、装置。
【請求項４３】
前記コイルの前記ドライバインターフェース部は、その長さに沿って実質的に均一な横方向範囲を有する、請求項４２に記載の装置。
【請求項４４】
前記コイルは、先端部、遷移領域、および後端部を有し、前記コイルの前記テーパー部は、前記先端部から前記遷移領域まで延在し、前記ドライバインターフェース部は、前記遷移領域から延在している、請求項４２または４３に記載の装置。
【請求項４５】
前記コイルの前記テーパー部は、前記先端部と前記移行領域との間の横方向範囲が減少する、請求項４４に記載の装置。
【請求項４６】
前記テーパー部の前記先端部は、尖った組織挿入先端を有する、請求項４５に記載の装置。
【請求項４７】
前記コイルの少なくとも前記ドライバインターフェース部は中実である、請求項４２乃至４６のいずれか１項に記載の装置。
【請求項４８】
前記コイルの少なくともドライバインターフェース部は中空である、請求項４２乃至４７のいずれか１項に記載の装置。
【請求項４９】
前記コイルは中実である、請求項４１乃至４８のいずれか１項に記載の装置。
【請求項５０】
前記コイルは中空である、請求項４１乃至４８のいずれか１項に記載の装置。
【請求項５１】
前記コイルの断面の形状が、円形、楕円形、三角形、多角形、およびリボン状のうちの
１つ以上から選択された、請求項４１乃至４９のいずれか１項に記載の装置。
【請求項５２】
前記コイルの少なくとも一部が生体吸収性を有する、請求項４１乃至５１のいずれか１項に記載の装置。
【請求項５３】
組織管の周りに少なくとも部分的に延びるように適合されたガイドと、前記ガイドの経路を追従するように適合されたインプラント要素とを備えた、瘻孔治療システム。
【請求項５４】
前記インプラント要素は、前記インプラント要素が前記ガイドの前記経路をたどる追従形態と作動形態とを有し、前記作動形態の前記インプラントは、管を囲む組織を内側に引っ張るように適合された、請求項５３に記載のシステム。
【請求項５５】
前記インプラント要素は、アンカーを備えた、請求項５３または５４に記載のシステム。
【請求項５６】
前記アンカーは、少なくとも１つの返しを備えた、請求項５５に記載のシステム。
【請求項５７】
前記アンカーは、潰れた送達形態および半径方向に延びた形態を有する、請求項５５または５６に記載のシステム。
【請求項５８】
前記アンカーは、複数のフィラメントを備えた、請求項５７に記載のシステム。
【請求項５９】
前記アンカーは、前記インプラント要素の遠位端に配置された、請求項５５乃至５８のいずれか１項に記載のシステム。
【請求項６０】
前記インプラント要素は、前記潰れた展開形態においてコイルを形成する、請求項５３乃至５９のいずれか１項に記載のシステム。
【請求項６１】
前記コイルは、その長さに沿った実質的に均一な横方向範囲を有する、請求項６０に記載のシステム。
【請求項６２】
前記コイルは、その長さに沿ってテーパー状になっている、請求項６０に記載のシステム。
【請求項６３】
前記インプラント要素は、作動可能要素である、請求項５３乃至６２のいずれか１項に記載のシステム。
【請求項６４】
前記作動可能要素は、潰れた送達形態、展開された形態、および作動された形態を有する、請求項６３に記載のシステム。
【請求項６５】
前記作動可能要素は膨張要素を備えた、請求項６４または６５に記載のシステム。
【請求項６６】
前記膨張要素はバルーンを備えた、請求項６５に記載のシステム。
【請求項６７】
前記膨張要素が発泡体を備えた、請求項６５に記載のシステム。
【請求項６８】
前記インプラント要素は、ニチノールのような形状記憶材料を備えた、請求項５３乃至６７のいずれか１項に記載のシステム。
【請求項６９】
前記インプラント要素は少なくとも部分的に生体吸収性である、請求項５３乃至６８のいずれか１項に記載のシステム。
【請求項７０】
複数のインプラント要素を備えた、請求項５３乃至６９のいずれか１項に記載のシステム。
【請求項７１】
前記ガイドは、ガイドコイルを備えた、請求項５３乃至７０のいずれか１項に記載のシステム。
【請求項７２】
前記ガイドコイルは、その長さに沿って実質的に均一な横幅を有する、請求項７１に記載のシステム。
【請求項７３】
前記ガイドコイルは、その長さに沿ってテーパー状になっている、請求項７１に記載の閉鎖システム。
【請求項７４】
前記コイルは、前記インプラント要素のためのレールを備えた、請求項７１乃至７３のいずれか１項に記載の閉鎖システム。
【請求項７５】
前記コイルは中実である、請求項７１乃至７４のいずれか１項に記載の閉鎖システム。
【請求項７６】
前記コイルは中空である、請求項７１乃至７４のいずれか１項に記載の閉鎖システム。
【請求項７７】
前記ガイドコイルは、鋭い遠位先端部を備えた、請求項７１乃至７６のいずれか１項に記載の閉鎖システム。
【請求項７８】
前記システムは、ドレーン管またはシートンであって、その場で前記ドレーン管を固定するための固定構造を有する、ドレーン管またはシートンを備えた、請求項５３乃至７７のいずれか１項に記載のシステム。
【請求項７９】
前記固定構造は、前記シートンの圧縮範囲または領域に設けられた、請求項７８に記載のシステム。
【請求項８０】
前記固定構造は、結び目、返し、または針のうちの１つまたは複数のような、前記シートン上に段部または突起を備えた、請求項７８または７９に記載のシステム。
【請求項８１】
前記シートンは中空である、請求項７８乃至８０のいずれか１項に記載のシステム。
【請求項８２】
前記シートンは中実である、請求項７８乃至８１のいずれか１項に記載のシステム。
【請求項８３】
前記シートンは複数の周囲孔を有する、請求項７８乃至８２のいずれか１項に記載のシステム。
【請求項８４】
前記シートンの断面の形状は、円形、楕円形、星形、および十字形の１つまたは複数から選択された、請求項７８乃至８３のいずれか１項に記載のシステム。
【請求項８５】
前記シートンは複数の要素を備えた、請求項７８乃至８４のいずれか１項に記載のシステム。
【請求項８６】
前記シートンの前記要素は編組されている、請求項８５に記載のシートン。
【請求項８７】
前記シートンの少なくとも一部が生体吸収性であり、ある場合では前記シートンは異なる生体吸収からなり、前記シートンの近位部分は生体吸収性である、請求項７８乃至８６のいずれか１項に記載のシートン。
【請求項８８】
前記シートンは前記インプラントから延在している、請求項７８乃至８７のいずれか１項に記載のシステム。
【請求項８９】
前記インプラントの少なくとも一部は生体吸収性であり、前記シートンの少なくとも一部は前記インプラントの生体吸収に先立って生体吸収するように構成された、請求項７８乃至８８のいずれか１項に記載のシステム。
【請求項９０】
前記シートンは生体吸収性であり、前記インプラントは生体吸収性でない、請求項７８乃至８９のいずれか１項に記載のシステム。
【請求項９１】
瘻孔を治療するためのインプラントにおいて、
近位端、遠位端、および複数のコイルループを有するシャフトと、
前記シャフトに配置された複数の返しであって、複数の前記返しの各々は複数の前記コイルループの最も近位なコイルループの遠位に配置された、返しとを備え、
前記シャフトは、テーパー部を有する螺旋コイルを含む、インプラント。
【請求項９２】
前記シャフトは、非テーパー部をさらに含む、請求項９１に記載のインプラント。
【請求項９３】
複数の前記返しの各々は、前記非テーパー部の遠位に配置された、請求項９２に記載のインプラント。
【請求項９４】
前記非テーパー部は、前記近位端と前記遠位端との間の前記シャフトの長さの少数に沿って延在している、請求項９２に記載のインプラント。
【請求項９５】
複数の前記返しの各々は、予め成形されたポジティブな回転防止構造である、請求項９１乃至９４のいずれか１項に記載のインプラント。
【請求項９６】
瘻孔を治療するためのシステムにおいて、
近位端と遠位端との間に延在するインプラントを備え、前記インプラントは、
テーパー部を含む複数のコイルループを有する螺旋コイルと、
近位端と遠位端との間に延在する駆動コイルとを含み、
第１の構成では、前記駆動コイルの一部は前記インプラントの一部に係合し、第２の構成では、駆動コイルの前記区分は前記インプラントの前記一部から外れている、システム。
【請求項９７】
前記インプラントの前記駆動コイルおよび前記螺旋コイルが共通のピッチを有する、請求項９６に記載のシステム。
【請求項９８】
前記インプラントは、複数のコイルループの少なくともいくつかの表面に沿って延在するチャネルを含む、請求項９６または９７に記載のシステム。
【請求項９９】
前記ドライバコイルは非テーパーコイルである、請求項９６乃至９８のいずれか１項に記載のシステム。
【請求項１００】
前記インプラントは、非テーパー部をさらに含む、請求項９６乃至９９のいずれか１項に記載のシステム。
【請求項１０１】
前記インプラントは、前記非テーパー部に沿って配置された駆動当接部をさらに含む、請求項９６乃至１００のいずれか１項に記載のシステム。
【請求項１０２】
前記非テーパー部は、前記インプラントの前記近位端と前記遠位端との間の前記インプラントの長さの少数に沿って延在する、請求項９６または９９に記載のシステム。
【請求項１０３】
前記第１の構成では、前記駆動コイルの前記区分および前記インプラントの前記一部のうちの一方は、前記駆動コイルの前記区分および前記インプラントの前記一部の他方内で受けられる、請求項９６乃至１０２のいずれか１項に記載のシステム。
【請求項１０４】
前記インプラントの前記一部は前記非テーパー部である、請求項１０３に記載のシステム。
【請求項１０５】
展開形態を有する排水部材であって、前記インプラントまたは前記駆動コイルの少なくとも１つに対して固定された、排水部材を含み、請求項９６乃至１０４のいずれか１項に記載のシステム。
【請求項１０６】
前記インプラントは、巻き戻し防止構造を備えた、請求項９６から１０５のいずれか１項に記載のシステム。
【発明の詳細な説明】
【技術分野】
【０００１】
本発明は、肛門周囲瘻孔の治療のための装置およびシステムに関する。
【背景技術】
【０００２】
肛門周囲瘻孔は、大多数の場合、詰まった肛門腺内で始まる感染から発症する人為的な孔である。感染が肛門腺から除去できない場合、膿瘍が形成され、感染は括約筋を突き抜けて、臀部の外皮から出る。患者は、管および関連する膿瘍に関連する痛みを経験し、瘻孔管からの便および血液の排出により苦しむ。肛門周囲瘻孔はまた、クローン病、潰瘍性結腸炎、大腸がんおよびそれらに関連する治療および直腸裂傷および外傷による合併症のような胃腸疾患に起因し得る。
【０００３】
肛門周囲瘻の全体的な発生率は、１万人あたり２人である。米国と西ヨーロッパとの間で毎年１０万回以上の瘻孔手術が行われている。実施された手術の３０％は、治療失敗に起因する再手術であり、医療システムに対する大幅な回避可能な費用に寄与する。
【０００４】
不十分な治療選択肢および乏しい手術結果を考慮すると、より効果的な肛門治療装置のための明確な臨床状の必要性がある。
現在、外科医が肛門周囲瘻孔を効果的に治癒し、患者を失禁させないために行うことができる単一の「金字塔的」な技術はない。一般的な瘻孔治療は瘻孔切開術である。瘻孔切開術には、括約筋の切開および瘻孔管の切開が含まれる。瘻孔切開術は比較的高い治癒率を有するが、この処置は大便失禁のリスクが高い。
【０００５】
患者の視点から見ると、痛みを伴う瘻孔管を解決するために失禁のリスクを抱えている人が多くいる。しかし、これは明らかに理想的な治療経路ではなく、多くの患者集団では副次的結果は受け入れられるものではない。
【０００６】
別の一般的に使用される瘻孔治療法は、シートンの使用である。シートンは括約筋保存法として使用され、単に瘻孔および直腸の管を通ってループに結ばれた縫合糸または血管ストラップである。シートンは、瘻孔管内の感染が排水し、管の長さを収縮させ、管を治癒させることを可能にするように、管の開存性を維持する。管がシートンによって治癒されない場合、医師は瘻孔切開術を行うことができる。シートンで括約筋を保存しようとするこのアプローチは、２５００年以上にわたって使用されており、依然として今日の外科医が使用する好ましい方法である。
【０００７】
非破壊的な肛門周囲瘻孔治療を提供するために、過去２０年間に様々な接着剤とプラグとが開発され、結腸直腸外科医に導入されてきた。しかしながら、これらの技術はあまり成功しておらず、それらの使用は広く普及していない。瘻孔管に注入されるこのような接着剤は、一般的に脆くなり、完全に治癒するのに十分長い期間、管を塞ぐことができず、便が再び管に入り、膿瘍形成および再瘻管形成を生じる。医師は、括約筋保存法であり、すべてが失敗した場合にはいつも、シートンと最終的な瘻孔切除術に頼ることができるため、有効性が１０％しかない可能性があるにもかかわらず、接着剤と栓とを用いて肛門瘻孔を治療しようとする。
【０００８】
肛門周囲瘻孔管を閉塞するためにプラグを使用する試みもなされている。例えば、ＵＳ２００５／００４９２６Ａは、瘻孔の外に液体を排出するようにも働く、取り付けられた可撓性の適用ストリングを備えたプラグ状の瘻孔閉鎖装置を記載している。
【発明の概要】
【発明が解決しようとする課題】
【０００９】
しかし、一般的に、プラグは管から押し出されて便が管に入り、再感染、膿瘍形成および瘻管の再形成を引き起こすため、機能しなくなる。
したがって、肛門周囲瘻孔の治療のための改善された方法および装置が必要とされている。
【課題を解決するための手段】
【００１０】
本発明によれば、組織路の周りに少なくとも部分的に延在するように適合されたガイドを備えた瘻孔治療システムが提供される。また、ガイドの経路を追従するように適合されたインプラント要素が提供される。
【００１１】
一実施形態では、インプラント要素は、インプラント要素がガイドの経路および作動された構成に従う追従形態を有し、作動形態のインプラントは、管を囲む組織を内側に引っ張るように適合されている。
【００１２】
インプラント要素は、場合によってはアンカーを含んでいる。
アンカーは、少なくとも１つの返しを含むことができる。
アンカーは、潰れた送達形態および半径方向に延びる形態を有することができる。
【００１３】
アンカーは、複数のフィラメントを含むことができる。
場合によっては、アンカーは、インプラント要素の遠位端に配置されている。
一実施形態では、インプラント要素は、潰れた展開形態でコイルを形成する。
【００１４】
１つのケースのコイルは、その長さに沿って実質的に均一な横幅を有する。
コイルは、その長さに沿ってテーパー状になっていてもよい。
一実施形態では、インプラント要素は作動可能な要素である。作動可能要素は、潰れた送達形態、展開された形態、および作動された形態を有することができる。作動可能な要素は、バルーンまたは発泡体のような膨張要素を含むことができる。
【００１５】
いくつかの実施形態では、インプラント要素は、ニチノールのような形状記憶材料を備えている。
ある場合には、インプラント要素は、少なくとも部分的に生体吸収性である。
【００１６】
いくつかの実施形態では、複数のインプラント要素がある。
いくつかの実施形態では、ガイドは、ガイドコイルを備えている。
ガイドコイルは、その長さに沿って実質的に均一な横幅を有することができる。
【００１７】
ガイドコイルは、その長さに沿ってテーパー状になっていてもよい。
ある場合には、コイルはインプラント要素のためのレールを備えている。
コイルは、中実または中空であってもよい。
【００１８】
ある場合には、ガイドコイルは、鋭い遠位先端を備えている。
いくつかの実施形態では、システムは、その場でドレーン／シートンを固定するための固定構造を有するドレーンまたはシートンを備えている。
【００１９】
固定構造は、シートンの圧縮範囲または領域に設けられてもよい。
ある場合には、固定構造は、結び目、返し、または針のうちの１つまたは複数のような、シートン上の段部または突起を備えている。
【００２０】
シートンは、中空または中実であってもよい。
ある場合には、シートンは複数の周囲孔を有する。
いくつかの実施形態では、断面におけるシートンの形状は、円形状、楕円形状、星形状、および十字形状の１つ以上から選択される。
【００２１】
シートンは、複数の要素を含むことができる。シートンの要素は編組されていてもよい。
場合によっては、シートンの少なくとも一部が生体吸収性である。ある場合には、シートンは、異なる生体吸収性のものである。シートンの近位部は、生体吸収性であってもよい。
【００２２】
シートンは、インプラントから延びていてもよい。
場合によっては、インプラントの少なくとも一部は生体吸収性であり、シートンの少なくとも一部はインプラントの生体吸収に先立って生体吸収するように構成されている。
【００２３】
別の場合には、シートンは生体吸収性であり、インプラントは生体吸収性ではない。
本発明はまた、肛門周囲の瘻孔を治療する方法において、
インプラントを提供するステップと、
瘻孔に隣接する括約筋筋肉複合体のバルク組織にインプラントを挿入するステップと、そして
瘻孔周囲の組織を内側に引っ張るためにインプラントを使用するステップとを含む、方法。
【００２４】
この方法は、
インプラントを作動して、管を囲む組織を内側に引っ張ることをさらに含んでもよい。
この方法は、インプラントを組織内に固定するステップを含むことができる。
【００２５】
場合によっては、インプラントは、インプラントの作動の前に固定されている。
本発明はさらに、瘻孔を閉鎖する方法において、
ガイドおよびインプラント要素を提供するステップと、
少なくとも部分的に組織管の周りに延びるようにガイドを前進させるステップと、
ガイドの軌道に沿ってインプラント要素を前進させるステップと、
インプラント要素を組織管を取り囲む所定の位置に残すガイドを引っ張る。
【００２６】
この方法は、インプラント要素を作動して、管を囲む組織を内側に引っ張ることをさらに含むことができる。この方法は、インプラント要素を作動させる前に、インプラント要素を組織内に固定するステップをさらに備えることができる。
【００２７】
本発明によれば、巻き戻し防止構造を有するインプラントコイルを含む肛門周囲瘻孔治療装置も提供される。巻き戻し防止構造は、以下の１つ以上から選択されることができる。
【００２８】
返し、やじり、または釣り針状構造等のポジティブな構造；
トラフ、スロット、または溝等のネガティブな構造、および
表面の粗面化のような表面構造。
【００２９】
一実施形態では、装置は、瘻孔を取り囲むバルク組織に挿入するように構成されたテーパー部分と、瘻孔を取り囲む組織を内側に引っ張るためにコイルを回転ささるためにドライバと係合するように構成された、ドライバインターフェース部とを備えている。
【００３０】
本発明はまた、その場でシートンを固定するための固定構造を有する排水シートンを提供する。いくつかの場合には、固定構造は、シートンの圧縮範囲または領域で提供されている。
【００３１】
いくつかの実施形態では、固定構造は、結び目、返し、また針のうちの１つ以上のような、シートン上に段部または突起を含んでいる。
本発明はさらに、本発明の瘻孔治療装置と、コイルを回転させて瘻孔の周囲の組織を内側に引っ張るドライバ器具とを備えた瘻孔治療システムを提供する。一実施形態では、ドライバ器具は、インプラントコイルのドライバインターフェースと係合するように構成されたドライバコイルを備えている。
【００３２】
場合によっては、駆動コイルの外面の少なくとも一部が潤滑性である。
インプラントコイルの送達のためにドライバコイルをインプラントコイルに一時的にロックするために、ドライバコイルおよび／またはインプラントコイルに係合構造があってもよい。
【００３３】
本発明はまた、本発明の瘻孔治療装置と、インプラントの送達のために粘膜組織を安定させるための組織安定化装置とを備えた瘻孔治療システムを提供する。
いくつかの実施形態では、安定化装置は、送達機構に取り付けられ、送達前にインプラントを取り囲む中空要素を備えている。中空要素は、粘膜表面に圧力を加えるためにばねで負荷されていてもよいし、さもなければそうでなくてもよい。
【００３４】
一実施形態では、粘膜表面に接触する中空要素の前面が粘膜表面と相互作用して、粘膜ライニングの回転および／またはねじれを防止する。中空要素は、粘膜表面へ貫通するための針のような構造を含むことができる。
【００３５】
本発明はまた、肛門周囲の瘻孔を治療するための方法において、
テーパー付きコイルを提供するステップと、
瘻孔に隣接する括約筋筋肉複合体のバルク組織にコイルを挿入するステップと、
コイルを回転させて瘻孔の周囲の組織を内側に引っ張るステップとを備えている。
【００３６】
いくつかの実施形態では、この方法は、
排水シートンを提供するステップと、
シートンを括約筋筋肉複合体に埋め込むステップと；
シートンの遠位端が瘻孔の外部開口を通って突出するようにシートンを導くステップとを備えている。
【００３７】
また、肛門周囲の瘻孔を治療するための方法において、
送達インターフェース領域を有するインプラントコイルを提供するステップと、
インプラントコイル界面領域を有する送達装置を提供するステップと、
インプラントコイルを送達装置に挿入するステップと、
送達装置を用いてインプラントコイルを回転させるステップとを備えた、方法がもたらされる。
【００３８】
場合によっては、インプラントコイルの挿入後、送達装置はコイルから解放される。
この方法は、
排水シートンを提供するステップと、
シートンをコイルに取り付けるステップと、
瘻孔の外にシートンを導くステップとをさらに備えた、方法。
【００３９】
この方法は、
排水シートンを提供するステップと、
シートンを括約筋筋肉複合体に埋め込むステップと；
シートンの遠位端が瘻孔の外部開口を通って突出するようにシートンを導くステップとを備えている。
【００４０】
本発明によれば、瘻孔周囲のバルク（ｂｕｌｋ）組織に挿入されるように構成されたテーパー部と、瘻孔取り囲む組織を内側に引き寄せるためにコイルの回転のためのドライバと係合するように構成されたドライバインターフェース部とを有するインプラントコイルを含む肛門周囲瘻孔治療装置が提供される。
【００４１】
一実施形態では、コイルのドライバインターフェース部は、その長さに沿って実質的に均一な横方向範囲を有する。
ある場合には、コイルは、先端部、遷移領域、および後端部を有し、コイルのテーパー部は、先端部から遷移領域まで延在し、ドライバインターフェース部は、遷移領域から延在する。
【００４２】
好ましくは、コイルのテーパー部は、先端部と遷移領域との間の横方向の範囲が減少する。
ある場合には、テーパー部の先端部に尖った組織挿入先端がある。
【００４３】
一実施形態では、コイルの少なくともドライバインターフェース部は中実である。
あるいは、コイルの少なくともドライバインターフェース部は中空である。
ある場合には、コイルは中実である。
【００４４】
あるいは、コイルは中空である。
ある場合には、コイルの断面の形状は、円形、楕円形、三角形、多角形、およびリボン状のうちの１つ以上から選択される。
【００４５】
一実施形態では、コイルの少なくとも一部は生体吸収性である。
ある場合には、瘻孔治療装置は排液シートンをさらに含む。
シートンはコイルから延びていてもよい。
【００４６】
ある場合には、シートンは中空である。
ある場合には、シートンは中実である。
一実施形態では、シートンは複数の周囲孔を有する。
【００４７】
いくつかの場合のシートンの断面における形状は、円形、楕円形、星形、および十字形の１つまたは複数から選択される。
一実施形態では、シートンは複数の要素を含む。シートンの要素は編まれていてもよい。
【００４８】
ある場合には、シートンの少なくとも一部が生体吸収性である。
ある場合には、シートンは、異なる生体吸収性を有する。一実施形態では、シートンの近位部は、例えば、シートンの残りの部分の除去を容易にするために生体吸収性を有する。別の実施形態では、シートンの遠位部は、シートンの完全な吸収に先立って瘻孔の開口部の閉鎖を促進するために生体吸収性を有する。
【００４９】
一実施形態では、コイルの少なくとも一部は生体吸収性であり、シートンの少なくとも一部は、コイルの生体吸収に先立って生体吸収するように構成された。
本発明はまた、瘻孔治療装置と、コイルを回転させて瘻孔周囲の組織を内側に引っ張るドライバ器具とを含む瘻孔治療システムを提供する。
【００５０】
ある場合には、ドライバ器具は、インプラントコイルのドライバインターフェースと係合するように構成されたドライバコイルを備える。
一実施形態では、ドライバコイルは、インプラントコイルの対応するドライバインターフェース部との係合のために、その長さに沿って実質的に均一な横方向範囲を有する。
【００５１】
ある場合には、ドライバコイルは中空であり、インプラントコイルの対応するドライバインターフェース部は中実である。
別の場合には、駆動コイルは中実であり、インプラントコイルの対応するドライバインターフェース部は中空である。
【００５２】
本発明はまた、瘻孔を取り囲むバルク組織に挿入され、瘻孔を囲む組織を内側に引き寄せるように構成されたインプラントコイルと、テーパー付きコイルから延びる排水シートンとを備える肛門周囲瘻孔治療装置を提供する。
【００５３】
ある場合には、コイルはテーパー状になっている。
本発明はまた、テーパー付きコイルと、テーパー付きコイルに取り付けられ、そこから延びる排水シートンとを含む肛門周囲瘻孔治療装置を提供する。
【００５４】
本発明はまた、瘻孔を取り囲む組織に挿入するように構成されたインプラントコイルと、シートンの少なくとも一部が生体吸収性である排液シートンとを含む肛門周囲瘻孔治療装置を提供する。
【００５５】
一実施形態では、シートンは、異なる生体吸収性を有する。
ある場合には、シートンの近位部は、シートンの残りの部分の除去を容易にするために生体吸収性である。
【００５６】
テーパー付きコイルは、好ましくは、瘻孔の内部開口の部位に挿入され、瘻孔を内向きに囲む括約筋を含むバルク組織を引っ張るために回転可能であるように構成される。
ある場合には、コイルは前端と後端とを有し、コイルは前端と後端との間の横方向の広がりが減少する。先端は尖った組織挿入先端を含むことができる。
【００５７】
一実施形態では、装置は、シートンアタッチメント機構を含む。
アタッチメント構造は、ボール形状のような突起部、フック、滑り止め、突合せ継手、または熱結合および／または接着結合のような結合、の１つ以上から選択されてもよい。
【００５８】
一実施形態では、センタリング要素は、シートンを受けるための凹部または穴を有する。シートンは、例えば、接着剤および／または熱接着、および／または圧着によって、センタリング機構の凹部または穴に接着または固定されてもよい。
【００５９】
別の実施形態では、装置は、送達機構アタッチメント構造を備える。
ある場合には、装置は、コイルの長手方向軸に少なくとも部的に沿って延びる中心要素を備える。
【００６０】
中心要素は、コイルの後端からコイルの先端に向かって延びていてもよい。
中心要素は、コイルの先端を越えて延びていてもよい。
中心要素は、シートンアタッチメント構造および／または送達機構アタッチメント構造を含んでいてもよい。
【００６１】
ある場合には、シートンは中空である。
シートンは、複数の周辺孔を有することができる。
シートンの断面における形状は、円形、楕円形、星形、および十字形のうちの１つまたは複数から選択することができる。
【００６２】
ある場合には、シートンは、編まれた複数の要素を含む。
ある場合には、コイルは中実である。別の場合には、コイルは中空である。
コイルの断面における形状は、円形、楕円形、三角形、多角形、およびリボン状のうちの１つまたは複数から選択することができる。
【００６３】
本発明はまた、瘻孔を取り囲むバルク組織に挿入されるように構成され、瘻孔を取り囲む組織を内側に引き寄せるように回転可能であり、コイルの長手方向軸に沿って少なくとも部分的に延びるセンタリング要素を有するテーパーコイルを備えた瘻孔治療装置を提供する。
【００６４】
装置はさらに、テーパー付きコイルに取り付けられ、テーパー付きコイルから延びる排水シートンを備えてもよい。
ある場合には、コイルは前端と後端を有し、コイルは前端と後端との間の横方向の広がりが減少する。先端は尖った組織挿入先端を含むことができる。
【００６５】
一実施形態では、装置は、シートンアタッチメント構造を含む。
一実施形態では、装置は、送達機構アタッチメント構造を備える。
ある場合には、センタリング要素は、コイルの後端からコイルの先端に向かって延びている。
【００６６】
一実施形態では、センタリング要素は、シートンアタッチメント構造を含む。アタッチメント構造は、ボール形状のような突起部、フック、滑り止め、突合せ継手、または熱結合および／または接着結合のような結合、の１つ以上から選択されてもよい。
【００６７】
センタリング要素は、シートンを受容するための凹部または穴を有することができる。シートンは、例えば、接着剤および／または熱接着、および／または圧着によって、センタリング構造の凹部または穴に接着または固定されてもよい。
【００６８】
一実施形態では、センタリング要素は、送達機構アタッチメント構造を備える。シートンは、中空または中実であってもよい。シートンは、複数の周辺孔を有することができる。シートンの断面は、円形、卵形、星形、および十字形の１つまたは複数から選択することができる。シートンは複数の要素を含む。要素は編まれていてもよい。コイルは、中実または中空であってもよい。コイルの断面における形状は、円形、楕円形、三角形、多角形、およびリボン状のうちの１つまたは複数から選択することができる。
【００６９】
本発明はまた、本発明の瘻孔装置と、肛門周囲瘻孔治療装置のための送達装置とを含むシステムを提供する。
一実施形態では、送達装置は、テーパー付きコイルが送達される中空要素を含む。
【００７０】
一実施形態では、送達装置は中空のテーパー付きコイルが送達される中実要素を含む。
一実施形態では、送達装置は、中空の要素を備え、この中空の要素を通って、直線状の円筒状のコイルが送達される。
【００７１】
一実施形態では、送達装置は中空の直線状円筒コイルがその上に送達される中実要素を含む。
中空の送達要素は、コイルを含むことができる。
【００７２】
一実施形態では、送達装置は、テーパー付きコイルを送達するためのレールを備える。レールおよびコイルは、相互係合可能なトラック構造を備えていてもよい。
本発明はまた、肛門瘻孔を治療するための方法において、
テーパー付きコイルを提供するステップと、
瘻孔に隣接する括約筋複合体のバルク組織にコイルを挿入するステップと、
コイルを回転させて瘻孔の周囲の組織を内側に引っ張るステップとを有する。
【００７３】
一つの実施形態は、
排水シートンを提供するステップと、
コイルにシートンを取り付けるステップと、
コイルの送達の前にコイルおよび粘膜表面の並置を提供するためにシートンを使用するステップと、
瘻孔の外部に結膜を導くステップとをさらに有する。
【００７４】
１つのケースでは、この方法は、括約筋複合体にシートンを埋め込み、シートンの遠位端が瘻孔の外部開口を通って突出するようにシートンを導くことを含む。
本発明はまた、肛門周囲瘻孔を治療するための方法において、
送達インターフェース領域を有するインプラントコイルを提供するステップと、
インプラントコイルインタフェース領域を有する送達装置を提供するステップと、
インプラントコイルを送達装置に挿入するステップと、
送達装置を使用してインプラントコイルを回転させるステップとを有する。
【００７５】
一実施形態では、インプラントコイルの挿入後、送達装置はコイルから解放される。
この方法は、
排水シートンを提供するステップと、
コイルにシートンを取り付けるステップと、
瘻孔の外にシートンを導くステップとを有する。
【００７６】
この方法は、
排水シートンを提供するステップと、
シートンを括約筋複合体に埋め込むステップと、
シートンの遠位端が瘻孔管の外部開口を通って突出するようにシートンを導くステップとを有する。
【００７７】
肛門周囲瘻孔治療装置は、以下の利点を有する。
・瘻孔管の効果的な治癒、
・保全の維持、及び
・治癒時間の改善。
【００７８】
装置は、括約筋を分割から保護することにより、患者の随意調節を維持する。装置は、瘻孔管にしっかりと固定され、効果的に管を密閉し、治癒過程中に糞便物質が内部開口部に入るのを防止する。
【００７９】
この装置は、治癒プロセスの間に、残っている膿瘍材料を管から排出させる。この装置は、治癒プロセスにわたって組織内に組み込まれてもよく、管が治癒されるときに最終的に吸収されてもよい。
【００８０】
本発明は、肛門周囲瘻孔を治療するための標準化された技術を提供することによって、外科医のスキルに起因する変動性を除去する。
この装置は、括約筋の組織を収集して服用することを容易にし、筋肉バルクの欠陥の修復を可能にする。
【００８１】
管の内部開口の閉鎖後に瘻孔管の排液を可能にするために、シングルエンド排液シートンが取り付けられる。
デリバリー機構には、テーパー付きコイルおよびシートンと結合するための取り付け構造が設けられている。
【００８２】
テーパーコイルは、シングルエンドシートン用のアンカーを有することができる。
テーパーコイルは、金属、生体吸収性ポリマー、生体吸収性金属であってもよい。
排液シートンは、生体吸収性の合成物を含む任意の適切な材料から作製することができる。
【００８３】
システムは、複数のコイルを送達することができる。
システムは、内視鏡の遠位部に配置されたテーパー付きコイルを送達することができる。
【００８４】
肛門瘻孔を治療するための方法は、以下のステップのいずれかまたは全てを含み得る。
送達前に位置／緊張／粘膜壁の並置にシートンを使用するステップと、
括約筋複合体のバルク組織の欠損を修復するための閉鎖装置を送達する送達機構を使用するステップと、
歯状線の直腸の粘膜内膜の面の下にある閉鎖装置をバルク組織内に送達して、送達部位上の粘膜内膜を再構築することを可能にするステップと、
瘻孔管の排液および治癒を可能にするために、瘻孔管の外部開口を通って突出する遠位端を有する括約筋複合体にシートンを埋め込むステップとを含む。
【００８５】
本開示の態様は、インプラントを用いて肛門周囲瘻孔を治療する方法に関する。インプラントは、近位端および遠位端を有することができ、肛門周囲瘻孔は、直腸からの内部開口、臀部の外面における外部開口、内部開口と外部開口との間に延びる瘻孔管、および瘻孔管を取り囲む瘻孔組織に関していてもよい。この方法は、
インプラントの遠位端を内部開口の周りに係合させて、インプラントを介して瘻孔組織を圧縮するステップと、
瘻孔管の外部開口を開放したまま、瘻孔管の内部開口を密封して閉じるステップと、
インプラントのいずれもが直腸に露出されないように、インプラントの近位端を瘻孔組織に埋め込むステップとを含んでいる。
【００８６】
密封は、１５０ｍｍＨｇまでの圧力に対する密封を含むことができる。
密封は、２００ｍｍＨｇまでの圧力に対する密封を含むことができる。
圧縮は、類似の構成で瘻孔組織を圧縮することを含むことができる。
【００８７】
本方法はさらに、外部開口を通る通路を排水可能にすることを容易にすることを含むことができる。
この方法は、排液部材を瘻孔管内に配置するステップをさらに含むことができる。
【００８８】
排液部材の少なくとも一部分は、瘻孔管内の位置から外部開口部を通って延びていてもよい。
圧縮は、インプラントの遠位端を介して瘻孔組織に与えられる圧縮力が、インプラントの近位端を介して瘻孔組織に与えられる圧縮力よりも小さくなるように、瘻孔組織を漸進的に圧縮することを含むことができる。
【００８９】
圧迫の後、大部分の瘻孔管は開いたままであってもよい。
本開示の態様は、インプラントを用いて肛門周囲の瘻孔を治療する方法に関していてもよい。インプラントは、近位端および遠位端を有することができ、肛門周囲の瘻孔は、直腸からの内部開口、臀部の外面における外部開口、内部開口と外部開口との間に延びる瘻孔管、および瘻孔管を取り囲む瘻孔組織を有していてもよい。この方法は、
インプラントで内部開口を閉鎖することによって肛門周囲洞を形成するステップを含んでいる。
【００９０】
肛門周囲洞の形成には、インプラントを回転させて瘻孔組織を通って外部開口に向かってインプラントを前進させるステップを含むことができる。
インプラントの回転は、瘻孔組織の圧縮を引き起こし得る。
【００９１】
この方法は、瘻孔組織を半径方向内向きに引っ張ることをさらに含むことができ、瘻孔組織の第１の領域は、少なくとも瘻孔組織の第２の領域よりも大きく半径方向内向きに引っ張られ、第１の領域は、第２の領域よりも内部開口に近くてもよい。
【００９２】
インプラントは、テーパー部を含むことができ、洞形成は、テーパー部を介して半径方向内向きに組織を引っ張り、テーパー部の近位端がテーパー部の遠位端よりも小さい直径を有し、インプラントは、近位端が遠位端よりも内部開口に近くなるように展開されてもよい。
【００９３】
本方法は、排液部材を瘻孔内に配置するステップをさらに含み、排液部材の少なくとも一部は、瘻孔管内の位置から外部開口を通って延びていてもよい。
この方法は、インプラントの近位端を瘻孔組織に埋め込むことを含むことができる。
【００９４】
肛門周囲洞の形成は、１５０ｍｍＨｇまでの圧力に対する密封を形成することをさらに含むことができる。
本開示の態様は、インプラントを用いて肛門周囲瘻を治療する方法に関していてもよい。インプラントは、近位端および遠位端を有することができ、肛門周囲瘻孔は、直腸からの内部開口、臀部の外面での外部開口、内部開口と外部開口との間に延びる瘻孔管、および瘻孔管を取り囲む瘻孔組織を有していてもよい。この方法は、
瘻孔組織を内部開口の周りでインプラントに接触させるステップであって、インプラントは近位端と遠位端との間に延在する複数のコイルループを有するコイルを含んでいてもよく、コイルの少なくとも一部は、近位端と遠位端との間でコイルの長さに沿ってテーパー状になっていてもよい、ステップと、
前記インプラントを瘻孔組織内に回転させて、前記インプラントの遠位端を外部開口に向けて前進させ、瘻孔路の少なくとも一部の直径をテーパー部を介して減少させるステップと、
インプラントが配置された後に外部開口を通した排液を促進させるステップとを含んでいる。
【００９５】
この方法は、インプラントを介して瘻孔組織を圧縮することをさらに含み、圧縮は、インプラントの遠位端を介して瘻孔組織に与えられた圧縮力が、インプラントの近位端を介して瘻孔組織に与えられた圧縮力より小さくなるように、瘻孔組織を次第に圧縮することを含んでいる。
【００９６】
この方法は、外部開口を開いた状態に維持しながら内部開口を閉じるように瘻孔組織を圧縮することをさらに含むことができる。
外部開口を通る排液の促進は、排液部材を瘻孔管に配置することを含み、排液部材の少なくとも一部は、瘻孔管内の位置から外部開口を通って延びることができる。
【００９７】
インプラントまたは排液部材の少なくとも１つは、生体吸収性であってもよい。
インプラントおよび排液部材の両方は生体吸収性であり、インプラントの吸収速度が排液部材の吸収速度よりも速くてもよい。
【００９８】
インプラントおよび排液部材の両方が生体吸収性であり、排液部材の吸収速度がインプラントの吸収速度よりも速くてもよい。
組織の開口を閉じる方法は、
インプラントの複数の螺旋ループが開口を取り囲む組織を通過し、組織を半径方向内向きに圧縮するように、螺旋インプラントを組織に送達するステップと、
インプラントが供給された後に、ドレーン要素が開口内から開口の外側の位置まで延在するように、ドレーン要素をインプラントに対して固定するステップであって、ドレーン要素はドレーン要素に沿っている開口からの排液を促進する、ステップとを含む方法。
【００９９】
本方法は、インプラントの中心に向かって半径方向内向きに開口の周りに組織を引っ張ることをさらに含むことができ、組織の第１の領域は、組織の少なくとも第２の領域よりも大きく半径方向内向きに引き寄せられる。
【０１００】
インプラントは、コイルの近位端に向かってテーパー状になるテーパー付きコイル部を含んでいてもよい。
この方法は、開口の一方の端部のみを密封して閉じることをさらに含むことができる。
【０１０１】
この方法はさらに、送達装置のテーパー状の遠位セクションをインプラントの内面に係合させることをさらに含むことができる。
この方法は、送達装置のテーパー状でない遠位セクションをインプラントの外面に係合させるステップをさらに含むことができる。
【０１０２】
瘻孔を治療するためのインプラントにおいて、
近位端、遠位端、および複数のコイルループを有するシャフトと、
シャフト上に配置された複数の返しであって、複数の返しの各々は、複数のコイルループの最近位のコイルループの遠位に配置された、返しとを備え、
シャフトはテーパー部を含むことができる。
【０１０３】
シャフトは、非テーパー部をさらに含むことができる。
複数の返しの各々は、非テーパー部の遠位に位置することができる。
非テーパー螺旋コイル部は、近位端と遠位端との間のシャフトの長さの少数に沿って延びることができる。
【０１０４】
複数の返しの各々は、予め形成されたポジティブな回転防止構造であってもよい。
瘻孔を治療するためのインプラントは、
近位端および遠位端を有し、それらの間に螺旋コイルを形成するシャフトを備え、螺旋コイルは、
複数の第１のコイルループを備えたテーパー部と、
複数の第２のコイルループを含む非テーパー部とを含んでいてもよい。
【０１０５】
テーパー部は、非テーパー部より多くのコイルループを含むことができる。
非テーパー部分の長手方向の長さは、テーパー部の長手方向の長さよりも小さくてもよい。
【０１０６】
インプラントは、複数のコイルループの少なくともいくつかの表面に沿って延びるチャネルを含むことができる。
インプラントは、インプラントに対して排液部材を固定することができる展開された形態を有する排液部材をさらに含むことができる。
【０１０７】
インプラントは、近位端と遠位端との間に配置された駆動当接部をさらに含むことができる。
瘻孔を治療するためのシステムは、
近位端と遠位端との間に延びるインプラントであって、
テーパー部を含む複数のコイルループを有する螺旋コイルと、
近位端と遠位端との間に延びる駆動コイルとを備え、
第１の形態では、駆動コイルの一部はインプラントの一部に係合され、第２の形態では、駆動コイルの一部はインプラントの一部から外れている。
【０１０８】
瘻孔を治療するためのシステムにおいて、
近位端と遠位端との間に延びるインプラントであって、
テーパー部を含む複数のコイルループを有する螺旋コイルと、
近位端と遠位端との間に延在するドライバコイルとを含み、
第１の形態では、駆動コイルの一部をインプラントの一部に係合させることができ、第２の形態では、駆動コイルの前記一部をインプラントの一部から外すことができる。
【０１０９】
瘻孔を治療するためのシステムにおいて、
近位端と遠位端との間に延びるインプラントであって、
テーパー部を含む複数のコイルループを有する螺旋コイルと、
近位端と遠位端との間に延在するドライバコイルであって、インプラントのドライバコイルおよび螺旋コイルは、共通のピッチを有する、ドライバコイルとを含み、
第１の形態では、駆動コイルの一部をインプラントの一部に係合させることができ、第２の形態では、駆動コイルの一部をインプラントの一部から外すことができる。
【０１１０】
インプラントは、複数のコイルループの少なくともいくつかの表面に沿って延びるチャネルを含むことができる。
駆動コイルは、非テーパーコイルであってもよい。
【０１１１】
インプラントは、非テーパー部分をさらに含むことができる。
インプラントは、非テーパー部分に沿って配置された駆動当接部をさらに含むことができる。
【０１１２】
非テーパー部は、インプラントの近位端と遠位端との間のインプラントの長さの少数に沿って延びることができる。
第１の形態では、駆動コイルの一部およびインプラントの一部のうちの一方は、駆動コイルの一部およびインプラントの一部の他方の部分内に受けられてもよい。
【０１１３】
インプラントの一部は、非テーパー部であってもよい。
システムは、排液部材がインプラントまたは駆動コイルの少なくとも１つに対して固定されてもよい展開形態を有する排液部材をさらに含むことができる。
【０１１４】
ヒト組織の開口を閉じるためのキットは、
近位端および遠位端を有する、螺旋コイルを形成するシャフトを有するインプラントであって、螺旋コイルの少なくとも一部は、テーパー付きコイル部を有し得る、インプラントと、
長手方向に延びるドレーン部材とを含んでいてもよい。
【０１１５】
螺旋コイルは、非テーパーコイル部をさらに含むことができる。
テーパーコイル部は第１の複数のコイルループを含み、非テーパーコイル部は第２の複数のコイルループを含み、第１の複数のコイルループは第２の複数のコイルループよりも多い数のコイルループを含むことができる。
【０１１６】
非テーパー螺旋コイル部の長手方向長さは、テーパー螺旋コイル部の長手方向長さよりも小さくてもよい。
駆動当接部は、近位端と遠位端との間に配置されてもよい。
【０１１７】
インプラントまたは排液部材の少なくとも１つは、生体吸収性であってもよい。
インプラントおよびドレーン部材の両方は、生体吸収性であってもよく、インプラントの吸収速度は、廃液部材の吸収速度よりも速くてもよい。
【０１１８】
インプラント及び廃液部材の両方が生体吸収性であり、廃液部材の吸収速度がインプラントの吸収速度よりも速くてもよい。
【図面の簡単な説明】
【０１１９】
本発明は、添付の図面を参照して、単なる例示として与えられたその実施形態の以下の説明からより明確に理解されるであろう。
【図１】本発明によって解決される解剖学的および疾患状態の断面図である。
【図２】本発明の治療装置の瘻孔管を通して送達される断面図である。
【図３】瘻管の内部開口部の部位における粘膜表面に並置された点における装置の断面図である。
【図４】粘膜表面を通って括約筋の複合体に部的に送達される装置の断面図である。
【図５】括約筋複合体に完全に送達され、送達機構から取り外された装置の断面図である。
【図６】粘膜表面における瘻孔管の内部開口を示す平面図である。
【図７】粘膜表面と並置された瘻管の内部開口部に配置された装置を示す平面図である。
【図８】粘膜表面を通って部的に送達され、装置の内部で組織を収集し始めて瘻孔内部開口を狭める装置を示す平面図である。
【図９】粘膜表面を通って括約筋の複合体にさらに送達された装置を示す平面図であり、装置の内部に組織がさらに集まり、瘻孔の内部開口がさらに狭くなっている。
【図１０】装置の内部組織が瘻孔内部開口を完全に閉鎖させる、粘膜下および完全に括約筋の複合体に完全に送達された装置を示す平面図である。
【図１１】肛門周囲瘻治療装置の一実施形態の正面図である。
【図１２】図１１の装置の平面図である。
【図１３】図１１および１２の装置の側面図である。
【図１４】先端が尖った別の瘻孔装置の正面図である。
【図１５】図１４の装置の側面図である。
【図１６】図１４および１５の装置の平面図である。
【図１７】図１４乃至１６の装置の等角図である。
【図１８】尖った先端および中心の特徴部を有するさらなる瘻孔治療装置の等角図である。
【図１９】図１８の装置の正面図である。
【図２０】図１８および１９の装置の側面図である。
【図２１】図１８乃至２０の装置の平面図である。
【図２２】尖った先端および中心構造およびシートンを有する装置の等角図である。
【図２３】取り付けられたシートンを備えた尖った先端および中心シートンのアタッチメント構造を有する装置の等角図である。
【図２４】十字形状の断面図である。
【図２５】楕円形状のシートンの断面図である。
【図２６】円形形状のシートンの断面図である。
【図２７】円形中空形状のシートンの断面図である。
【図２８】シートンの丸い中空穿孔された実施形態の等角図である。
【図２９】中空星形シートンの断面図である。
【図３０】星形シートンの断面図である。
【図３１】星形中空穿孔されたシートンの実施形態の等角図である。
【図３２】十字形状の断面図である。
【図３３】シートンの多編組の実施形態の断面図である。
【図３４】閉鎖コイル装置の楕円形断面の実施形態の等角図である。
【図３５】肛門周囲瘻孔処置装置のリボン型テーパーコイルの等角図である。
【図３６】テーパー付きコイルの三角形断面の実施形態の等角図である。
【図３７】テーパーコイルの多面断面の実施形態の等角図である。
【図３８】テーパー付きコイルの中空送達機構の等角図である。
【図３９】図３８の中空送達機構によって送達されるべきソリッドコイルの等角図である。
【図４０】図３８の中空送達機構と図３９の中実コイルの適所の等角図である。
【図４１】中空コイルが適所にあるソリッドコア送達機構の等角図である。
【図４２】相手方コイルを送達するためのレール支持構造の等角図である。
【図４３】図４２の支持構造と嵌合するコイルの等角図である。
【図４４】コイルとレールタイプの送達機構との組み合わせの等角図である。
【図４５】システムの構成部品を示す図である。
【図４６】コイルを展開する前に瘻孔管を通るシステムの送達を示す図である。
【図４７】展開前のコイルの位置を示す図である。
【図４８】ボール型センター構造シートン取り付け機構を示す図である。
【図４９】フック型センター構造シートンのアタッチメント構造を示す図である。
【図５０】滑り止めタイプの中央構造シートンアタッチメント機構を示す図である。
【図５１】中空タイプの中央構造シートンアタッチメント機構を示す図である。
【図５２】中空タイプの中央構造シートンアタッチメント機構を示す図である。
【図５３】カシメタイプのセンター構造シートン取付け機構を示す図である。
【図５４】しわ型センター構造シートンアタッチメント機構を示す図である。
【図５５】熱接着タイプのセンター構造シートンアタッチメント機構を示す図である。
【図５６】突合せ継ぎ手タイプの中央構造シートンアタッチメント機構を示す図である。
【図５７】部分的に直線状の断面を有するコイルの等角図である。
【図５８】中実コイルに結合された中空コイル送達機構の等角図である。
【図５９】中実コイルに結合された中空コイル送達機構の等角図である。
【図６０】中空コイルに結合された中実コイル送達機構の等角図である。
【図６１】中空コイルに結合された中実コイル送達機構の等角図である。
【図６２】本発明による別の瘻孔治療装置の等角図である。
【図６３】本発明による別の瘻孔治療装置の等角図である。
【図６４】図６２の装置の平面図である。
【図６５】図６２の装置の平面図である。
【図６６】瘻孔治療装置とともに使用するための送達コイルの等角図である。
【図６７】瘻孔治療装置と係合する送達コイルの等角図である。
【図６８】本発明による排液シートンの図である。
【図６９】本発明の別の排液シートンの図である。
【図７０】本発明のさらなる排液シートンの図である。
【図７１】別の排液シートンの図である。
【図７２】排液シートンを組織管の位置への固定を示す。
【図７３】排液シートンを組織管の位置への固定を示す。
【図７４】本発明による安定化装置の図である。
【図７５】本発明による安定化装置の図である。
【図７６】本発明による瘻孔治療システムの図である。
【図７７】システムのガイドコイルの斜視図である。
【図７８】配送構造のシステムを示す図である。
【図７９】作動した形態のインプラント要素を示す。
【図８０】アンカーを有する送達コイルおよびインプラント要素の遠位端の図である。
【図８１】アンカーが露出した別の形態の送達コイルを示す図である。
【図８２】別のアンカーを示す。
【図８３】別のアンカーを示す。
【図８４】さらなるアンカーを示す。
【図８５】さらなるアンカーを示す。
【図８６】別のガイドおよびインプラント要素を示す。
【図８７】図８６のインプラント要素の展開を示す。
【図８８】別のガイドおよび鋭利な遠位先端を有するインプラント要素を示す。
【図８９】別のガイドおよび鋭利な遠位先端を有するインプラント要素を示す。
【図９０】本発明による別のインプラントの図である。
【図９１】配置され、作動形態の図９０のインプラントを示す図である。
【図９２】送達形態の本発明のさらなる瘻孔閉鎖システムの図である。
【図９３】作動形態の図９２のインプラント要素を示す。
【図９４】本発明によるインプラント送達システムの図である。
【図９５】図９４の送達チューブから送達されるインプラントを示す図である。
【図９６】図９４及び９５に類似する別のインプラント要素を示す図である。
【図９７】図９４及び９５に類似する別のインプラント要素を示す図である。
【図９８】別のインプラントのための送達システムの拡大図である。
【図９９】瘻孔周囲の別のインプラント要素の展開を示す。
【図１００】瘻孔周囲の別のインプラント要素の展開を示す。
【図１０２】瘻孔周囲の別のインプラント要素の展開を示す。
【図１０３】本発明によるさらなる瘻孔治療システムの図である。
【図１０４】本発明によるさらなる瘻孔治療システムの図である。
【発明を実施するための形態】
【０１２０】
装置は、以下のうちの１つ以上を実行可能である。
・さまざまな瘻孔の生理機能に適応する
・管路の内部開口を閉塞して密閉する
・管路の便の再感染を防止する
・括約筋機能の維持する
・瘻孔管治癒を強化する、及び
・治癒中の排水を促進する。
【０１２１】
肛門周囲瘻孔治療装置は、括約筋の確保、瘻孔管内部開口部の閉塞、および排液および組織治癒の促進を確実にする。
装置は、組織管に固定され、創傷の再感染を防止する固定およびシーリング機構を備えた頭部からなる。尾部はシートン様の排液を提供し、皮膚部位の早期閉鎖に起因する再膿瘍を防止する。
【０１２２】
装置の固定およびシール機構は、テーパー付きコイルからなる。コイル形状は、括約筋複合体に展開されるときに組織を引き寄せるように設計されているため、強力なアンカーが得られるだけでなく、重要なことに、効果的な圧縮閉鎖が瘻孔管の再感染を防止するとともに、組織の治療を向上させるべく組織の接近させる。
【０１２３】
肛門周囲瘻孔治療装置は、括約筋および解剖学的状態および機能を維持し、再瘻造設を防止し、現在の治療法よりも治癒時間を改善する。装置は、テーパー付きコイルと排水シートンから構成されている。センタリングアライメント機能を有する。送達機構についても説明する。コイルは、排液シートンによって瘻孔管に導かれ、センタリング構造によって管の中心に配置されてもよい。テーパー付きコイルのより大きい直径は、適切なマージンをもって瘻孔管の内部開口を取り囲む組織表面に当接する。送達機構は、粘膜下に位置するまでコイルを回転させる。コイルは、管の周囲の組織を内向きに圧縮することによって瘻孔の内部開口部を閉鎖し、異物に対して不浸透性のシールを生成すべく接近するように組織が運ばれ、接近した瘻孔管の組織成長を促進する。排液シートンは、治癒過程中に、膿瘍および残存または新たに形成された滲出液および瘻孔管からの流体を排出するための導管を提供する。センタリング構造は、コイル装置が瘻孔路内に容易に配置され、外側コイルが瘻孔管を取り囲む適切なマージン内に配置され、排液シートンのための固定構造として働く。
【０１２４】
図１は、直腸１と臀部７３の外皮との間の異常な接続部である肛門瘻孔管６を示している。瘻孔の内部開口７は、直腸１の粘膜表面２０に位置する。瘻孔管６は、一般に歯状線５を起点とし、内括約筋３および外括約筋４からなる括約筋複合体を通過する。瘻孔管６の外部開口部８は、臀部７３の外皮面に位置する。
【０１２５】
図２は、排液シートン１３の第２の端部に加えられた張力によって瘻管を通って引き出されるテーパー付きコイル１１、排液シートン１３、および送達機構１８からなる装置を示す。
【０１２６】
テーパー付きコイル１１は、図３に示すように、直腸２０の粘膜組織壁に並置される。コイルは、排液シートン１２の第２の端部１３および生体吸収性機構１８のインターフェース１７の支持部に加えられた張力を介して歯状線５の瘻孔管７の内部開口の中心に配置される。
【０１２７】
駆動機構１７は、コイル１１を回転または他の手段（図１）により直腸１の粘膜内層２０を通して送達する。コイル１１の遠位先端１５は、粘膜表面２０を貫通し、最初に瘻孔管６の内部開口７を取り囲む内括約筋３と係合する。
【０１２８】
図４５は、システム構成部品を示す。コイル１１の送達機構インターフェース構造３８は送達機構１８の送達機構部材１６に取り付けられている。排水シートン１２は、シートンアタッチメント構造１４を介してコイルセンタリング構造５０に取り付けられている。
【０１２９】
図５は、粘膜表面２０を通過し、内部３および外部４の括約筋からなる括約筋複合体内に完全に送達されたコイル１１を示す。送達機構部材１６上の遠位に配置された送達機構インターフェース１７は、テーパー付きコイル１１から離脱し、送達機構１８は手術野から除去される。
【０１３０】
テーパー付きコイルの送達の作用機構は、括約筋の複合組織がコイル１１構造の中心に引き込まれる結果となる。作用メカニズムを図６乃至１０に示す。
図６は、歯状線５における直腸２０の粘膜表面の表面に配置された瘻孔管６の内部開口２１の平面図を示す。図７は、閉鎖コイル１１が粘膜表面２０に並置され、瘻孔管７の内部開口２１の中心に配置されている様子を示している。閉鎖コイル１１が粘膜表面２０を通って内括約筋３内に供給されると、括約筋組織は閉鎖コイル１１の中心に集まり始める。図９は、閉鎖コイル１１の更なる送達を示し、括約筋組織の質量増加がコイル内に集まる様子を示している。図１０は、閉鎖コイル１１が粘膜表面２０を全体的に越えて完全に送達され、内括約筋３および外括約筋４を含む括約筋複合体に完全に送達される様子を示している。コイル１１の完全な送達は、括約筋組織の収集および圧縮の機構によって瘻孔管６の内部開口２１を閉鎖する結果となる。記載されたこの機構は、括約筋組織の両方を一緒に編むことを可能にし、粘膜表面は、ある期間にわたって送達部位を覆うように再形成し、結局、瘻孔管の内部開口に関連する括約筋の欠陥を完全に解消する。
【０１３１】
図１１乃至１３を参照すると、先端２４と後端２５とを有するテーパー付きコイル１２が示されている。この場合、コイルは円錐形であり、前端と後端との間の横方向の広がりが減少する。
【０１３２】
インプラントは、コイル体構造である。インプラントの先端は最大のコイルであり、最初は適切なマージンをもって組織欠損を取り囲んでいる。インプラントが前進するにつれて、先端は、インプラントを効果的に固定する大きな表面積をもたらす。後続の各コイルは、固定および圧縮機能をもたらす（追加する）。後端に向かう最も小さいコイルは、組織圧縮の最大量をもたらす。インプラントが組織内に回転するにつれて、各コイルは捕捉された組織を組織欠損の中心に向けてさらに圧縮し、周囲の組織を内方に効果的に完全に圧縮する。組織が接近することにより、組織を一緒に治癒することが可能になる。この圧縮は、直腸内に生成された圧力に対して効果的な密閉をもたらし、瘻孔管への通過する便の侵入を防ぎ、再感染を防止する。インプラントコイルのより小さな直径は、捕捉された組織が分離しないように保持し、治癒プロセスの破綻または異物が組織欠損に入るのを防止する。これは、前進皮弁（皮膚フラップ）およびＬＩＦＴ処置等の縫合および縫合に基づく外科的技術よりも大きな利点である。
【０１３３】
この圧縮は、インプラントの中心部全体の組織が接近することを確実にする。最も近位の表面では、組織は、インプラントおよび組織欠損上の直腸の治癒粘膜内層への支持をもたらす。したがって、治癒組織は、治癒プロセス中にインプラントによって完全に支持され、直腸内で発生することができる１５０ｍｍＨｇおよび２００ｍｍＨｇ以上の圧力下で生存が可能である。
【０１３４】
コイルは、粘膜の表面より下の（所定の深さで）粘膜下に送達される。これは、細菌の密閉障壁を提供するために、直腸粘膜表面に完全な粘膜密閉が存在することを確実にするためである。表面のすぐ下のインプラントにより、組織を完全に圧縮するために内側に引っ張り、粘膜治癒プロセスを支援する。
【０１３５】
インプラントが組織に変わると、圧縮はコイルの深さに沿ってより大きくなり（漸進的圧縮）、インプラント内部に捕捉された管の長さは完全に圧縮される。組織の接近は、治癒過程を助ける。
【０１３６】
図１４乃至１７を参照し、この場合にテーパー付きコイル１２は尖った組織挿入先端２８を有することに留意されたい。コイル１２は、送達機構インターフェース構造２９も有する。
【０１３７】
図１８乃至２１も、尖った組織挿入先端３５と送達機構インターフェース構造３８とを有する別のテーパー付きコイル１２を示す。この場合、コイルはセンタリング構造３６も有する。センタリング構造３６は、瘻孔管の中心を通り、排液シートンの取り付けを可能にする。センタリング構造３６は、瘻孔管の内部開口と同心円状にコイルをセンタリングすることを可能にする。
【０１３８】
図１８乃至２１に示すセンタリング構造３６のようなセンタリング構造を有するコイル装置は、取り付けられたシートンの有無に関わらず、胆管（胆嚢手術中に形成され、胆管を皮膚の表面に接続する）、頸部（頸部または首の異常な開口）、頭蓋骨（頭蓋骨の内側と副鼻腔の間）、腸間膜（腸と膣との間）、便または肛門（便は肛門以外の開口から排出される、胃（胃袋から皮膚の表面まで）、メトロ腹膜（ｍｅｔｒｏｐｅｒｉｔｏｎｅａｌ、子宮と腹膜腔の間）、臍帯（へそと腸との間）等、一般的に身体の別の領域に生じる瘻孔の開口を閉鎖するのに用いられ得る。これらの瘻孔は、膿瘻としても知られる盲目（一方の端部のみが開放されているが、２つの構造体に接続する）、完全なもの（外部と内部との両方の開口を有する）、馬蹄（直腸の周りを回った後、肛門を皮膚の表面に接続する）、または不完全なもの（内部で閉じられ、いかなる内部構造にも接続されていない皮膚からの管）。
【０１３９】
図２２は、中央シートン構造４４を有するコイル装置を示す。この実施形態では、コイル、中心部構造および排水シートンは、単一の連続モノリシック構造から構成されている。
【０１４０】
図２３は、遠位端にシートンアタッチメント構造５１を有する中心構造５０を有するコイルを示す。排水シートン５２が構造５０に取り付けられている。
テーパー状のコイルは、横断面において任意の適切な形状であり得ることが理解されるであろう。いくつかの例を図３４乃至４４に示す。例えば、コイルは、円形、楕円形、三角形、多角形、またはリボン状であってもよい。場合によっては、コイルは中空であってもよい。
【０１４１】
コイルは、その後の除去を目的とするものであってもよいし、生体吸収性であってもよい。
コイルの典型的な材料は、
−  生体吸収性マグネシウム（ＭｇＦｅおよび他のマグネシウム合金を含む）は、ステンレス鋼および類似の金属の強度を提供するが、生体吸収性であるため、選択の材料となる。ＭｇＦｅ合金は十分に研究され、医療製品に使用されている。
−  ＰＬＡおよびＰＬＧＡ（乳酸−グリコール酸共重合体）は、生体吸収性ポリマーであり、一般的によく使用される生体吸収性材料であり、７０年以上にわたり医療製品で十分に研究され使用されている。
−  コイルはまた、縫合用途に使用される他の一般的な材料から構築されてもよい。
【０１４２】
生体吸収性テーパー付きコイルは、異物を拒絶する体の自然な傾向による肛門周囲瘻孔の治療に有益であろう。
本発明のシステムは、肛門周囲瘻孔治療装置のための送達装置も含む。
【０１４３】
送達装置は、図３８に示すようなテーパー付きコイルが通って送達される中空要素を含むことができる。中空の送達要素は、コイルを含むことができる。図３９は、図３８の中空送達要素によって送達される中実コイルを示し、図４０は、中実送達要素を適所に備えた中空送達要素を示す。
【０１４４】
このシステムは、図３９の移植可能な要素を含む（収容する）図３８の中空の送達要素の図４０からなる。図３９の移植可能な要素は、回転送達プロセスの間、図３８の送達要素に収容される。図３８の送達要素が所望の送達位置に到達すると、送達要素は図３９の移植可能な要素から分離され、次に送達方向の反対方向に（最も一般的には反時計回りに）回転され、図３９の移植可能な要素は組織バルクの位置に置くことができる。
【０１４５】
システムは、中実送達要素の上を送達される中空コイルによって逆転され得ることが理解されるであろう。
ある場合には、送達装置は、テーパー付きのコイル用のレールを備える。レールおよびコイルは、相互作用可能な構造を有することができる。いくつかの例を図４２乃至４４に示す。
【０１４６】
図４４のレールシステムは、図４２の外部埋め込み型コイル要素と、図４３の内部支持レール要素とからなる。２つの要素が連動する。図４４のシステムは、所望の組織深さまで（最も一般的に時計回りの方向に）回転される。図４４のシステムが所望の組織深さに達すると、図４２に示すように要素は切り離され、内側の支持レールは、挿入方向と反対の回転（通常反時計回り）によって組織バルクから逆転され、図４２の外側の移植可能なコイル要素は、瘻孔管を取り囲み、圧迫し、閉鎖する場所にある。
【０１４７】
システムは、外側の支持レール上を送達される内側の移植可能なコイルによって逆転され得ることが理解されるであろう。
図４８のボールアタッチメント：
センター構造は、シャフトに沿ってボール構造を有することができ、センター構造の周りに結ばれていてもループされていてもよいシートンを固定するのを助ける。ボールは、結び目のあるまたはループしたシートンがセンター構造から外れない後部ストッパを提供
図４９のフックアタッチメント：
センター構造は、シャフトに沿ってフック構造を有して、センター構造の周りに結ばれているかまたはループされているシートンを固定するのを助けることができる。フックは、結び目付きまたはループ状のシートンがセンター構造から外れない後部ストッパを提供する。
【０１４８】
図５０の滑り止めアタッチメント：
センター構造は、シャフトに沿って滑り止め構造を有することができ、滑り止め構造のウエストの周りに結ばれているかまたはループされている可能性があるシートンを固定するのを助ける。滑り止めは、結び目付きまたはループ状のシートンがセンター構造から外れない後部ストッパを提供する。
【０１４９】
図５１と図５２とのセンター構造の内部
図５１に示すように、センター構造を中空にして、中空部にシートンを配置することができる。図５２に示すように接着または熱かしめするか、または図５３に示すように圧着してもよい。
【０１５０】
図５４の突合せ結合：
シートンは、図５５に示すように、突き合わせ結合によって取り付けることができる。センター構造とシートンは、図５５に示すように、互いに対向する両端が対向する管状の要素に挿入される。３つの構成要素は、図５５に示すような加熱や糊付けにより、または図５４に示すような圧着／かしめによって接合することができる。結合部は、管状要素に沿って複数のしわ部を有し、シートンおよびセンター構造をしっかりと取り付けることができる。
【０１５１】
図５６の熱ボンド
シートンとセンター構造は、図５６に示すように熱接着／接合されることができ、両方の材料は同様のガラス転移温度（Ｔｇ）を有する材料で作られ、それらのＴｇを満たされて、一緒に流れて確実な接合部を形成する。
【０１５２】
このシステムの実施形態は、これに限定されるものではないが、センター構造、シートンアタッチメント構造、一体化された排水シートン、および駆動レール上に配置された一体化された尖った先端を含む、先に説明したような特徴を組み込んでもよいことが理解さ
シートン１２は、ガイドおよび位置決め機構として使用され、装置が移植されると、瘻孔管排液の手段としての機能を果たす。シートン１２は、生体吸収性材料、組織を治癒する魅惑的な（ｅｎｃｈａｎｔｍｅｎｔ）特性、感染制御剤から構成され、これらの材料の一部または複合体で構成されていてもよい。
【０１５３】
瘻孔管の準備の後、標準的な外科技術を用いてシートン１２を既存の外科プローブ、縫合糸、または瘻孔管内にすでにあるシートンに取り付ける。一旦、シートン１２が取り付けられると、システムはコイル装置が組織壁（直腸壁）に隣接するまで近位に（医師に向かって）瘻孔管を通して引っ張られる。シートン１２は、外側の先導コイルが瘻孔管の外側の周りに集中されることを確実にする。コイルが前進するのを助け、そして瘻孔管のまわりの中心位置を維持するために、コイルが組織内に前進されるときに、シートン１２に張力を加えることができる。
【０１５４】
シートン１２は、コイル１１の中心部に取り付けられている。コイルが括約筋を編成し、瘻孔管の内部開口を閉じると、シートン１２は、感染症の発生を防ぐために膿瘍、膿、および体液の新たな蓄積の排水を容易にするために瘻孔管の近位部の開存性を維持する。シートン１２は、管路が任意の流体蓄積の近位で閉鎖することを防止し、管壁とシートン１２の外壁との間の材料の排出を可能にする導管として作用する。シートン１２はまた、シートン１２の外壁から接線方向の排水孔が入っている中央管腔を有していてもよい。シートン１２は、チャンネルを形成し、流体排液を最適化し、瘻孔壁がシートン周辺の排液を閉塞するのを防ぐために、多面外壁を備えて構成されてもよい。シートン１２は、図２４乃至３３に記載および図示されるように、一部または全部の要素から構成されてもよい。
【０１５５】
シートン１２は、瘻孔管に外科的に配置されるのに十分な強度の材料から構成される。シートン１２は、吸収性がなく、後に除去されることが意図された材料で構成することができる。代替的に、シートン１２は、瘻孔管の治癒プロセス全体を通して生体吸収する材料（例えば、マグネシウム、ＰＬＡ、ＰＬＧＡを含む）から作製されてもよい。シートン１２は、瘻孔管（銀イオン、抗菌剤）の感染を防止するための抗感染剤から構成されてもよく、またはそれを含んでいてもよい。シートン１２は、組織成長（幹細胞、コラーゲン基質）を補助する材料で構成されてもよい。シートン１２は、説明したように、一部または全部の要素で構成することができる。
【０１５６】
シートンは、図２４乃至２６及び図３０、３２、及び３３に示すように、円形、楕円形、十字形、星形、または編組などの任意の適切な形状の断面であり得る。全ての場合において、図２７、２８、２９、及び３１に示すように、排水をさらに強化するシートンは中空であってもよい。シートンは、排水の有効性を高めるために図２８および３１に示すような周辺穴を有してもよい。穴は、排水表面積／チャネルを増加させることにより、流体がより迅速に排水され、チャネルのいずれかが閉塞され、同じ瞬間に排液を防止する機会を減少させることにより、排水の追加表面を可能にする。
【０１５７】
図４６は、コイルの展開に先立って瘻孔管を通るシステムの送達を示す。センター構造に取り付けられたシートンは、コイルが粘膜壁に対して並置され、瘻孔管の内部開口と同心に配置されることを可能にする。
【０１５８】
図４７は、展開前のコイルの位置を示し、コイルを瘻孔管の内部開口の周りに同心円状に配置する際のシートンと組み合わせたセンタリング構造の効果を実証する。（寸法「ｘ」は等しい）。
【０１５９】
上記のように、コイルおよびシートンの一方または他方または両方は、生体吸収性材料を含み得る。
コイルの典型的な材料は、
・生体吸収性マグネシウム（ＭｇＦｅおよび他のマグネシウム合金を含む）は、ステンレススチールおよび類似の金属の強度を提供するが、生体吸収性であるため、選択される材料の１つである。ＭｇＦｅ合金は十分に研究され、医療製品に使用されている。
【０１６０】
合成生体吸収性材料としては、ＰＬＡ、ＰＬＧＡ（（乳酸−グリコール酸）共重合体）、（ＰＬＧＡ、ＰＣＬ、ポリオルトエステル、ポリ（ジオキサノン）、ポリ（無水物）、ポリ（トリメチレンカーボネート）、ポリホスファゼン）を含むことができ、および／または天然の生体吸収性材料としては、フィブリン、コラーゲン、キトサン、ゼラチンを含むことができ、ヒアルロン酸は生体吸収性ポリマーであり、一般的に使用される生体吸収性材料であり、７０年以上にわたり医療製品で十分に研究され、使用されているため、一般に好まれる材料である。
【０１６１】
ｈｔｔｐ：／／ｗｗｗ．ｅｔｈｉｃｏｎ．ｃｏｍ／ｈｅａｌｔｈｃａｒｅ−ｐｒｏｆｅｓｓｉｏｎａｌｓ／ｐｒｒｅ−ｐｒｏｆｅｓｓｉｏｎａｌｓ／ｐｒｏｄｕｃｔｓ／のような吸収率の異なる多数のそのような製品を販売している。吸収性ポリマー材料はまた、Ｚｅｕｓのような医療材料会社から入手可能である（ｈｔｔｐ：／／ｗｗｗ．ｚｅｕｓｉｎｃ．ｃｏｍ／ａｄｖａｎｃｅｄ−ｐｒｏｄｕｃｔｓ／ａｂｓｏｒｖ−ｂｉｏａｂｓｏｒｂａｂｌｅｓ参照）。
【０１６２】
シートンの典型的な材料は次のとおりである。
・生体吸収性マグネシウム（ＭｇＦｅおよび他のマグネシウム合金を含む）は、ステンレススチールおよび類似の金属の強度を提供するが、生体吸収性であるため選択される材料の１つである。ＭｇＦｅ合金は十分に研究され、医療製品に使用されている。
・合成生体吸収性材料としては、ＰＬＡ、ＰＬＧＡ（（乳酸−グリコール酸）共重合体）、（ＰＬＧＡ、ＰＣＬ、ポリオルトエステル、ポリ（ジオキサノン）、ポリ（無水物）、ポリ（トリメチレンカーボネート）、ポリホスファゼン）を含むことができ、および／または天然の生体吸収性材料としては、フィブリン、コラーゲン、キトサン、ゼラチンを含むことができ、ヒアルロン酸は生体吸収性ポリマーであり、一般的に使用される生体吸収性材料であり、７０年以上にわたり医療製品で十分に研究され、使用されているため、一般に好まれる材料である。
【０１６３】
あるケースでは、コイルとシートンとの両方が生体吸収性であり、シートンはコイルの分解前に分解する。これは、コイルと異なる生体吸収性材料であるシートンのような、多くの異なる方法で達成され得る。
【０１６４】
例えば、コイルインプラントは、処方、断面、および表面改質に依存してゆっくりと、典型的には１８乃至３６ヶ月以内に分解するＰＬＬＡで構築することができ、シートンドレンは、処方、断面、および表面改質に依存して１から２か月と一般的により「早く」分解するＬＧＡ（８５Ｌ／１５Ｇ）で構成されてもよい。
【０１６５】
分解（分解（吸収）特性）時間を変える別の方法は、より減少した断面積、より多孔性、より低い結晶性、背骨により反応性の加水分解基を提供、より親水性の末端基、および／またはより親水性の背骨を含む。
【０１６６】
一例では、シートンは移植手術後５週間で吸収し始める。これは患者の治癒時間に依存して変化し、完全治癒は通常５乃至１０週の期間内に生じる。例として、コイルインプラントは、治癒後少なくとも１０週間持続し、移植日から６乃至１８ヶ月の期間にわたって分解する可能性がある。
【０１６７】
好都合なことに、装置の閉鎖機構は、治癒プロセス全体の間維持される。場合によっては、コイルは、直腸圧に耐えるためにその場にとどまり、管路の再開を防ぐために少なくとも１０週間は内部管路開口の閉鎖を維持する。
【０１６８】
コイルインプラントは、瘻孔管の内部開口の完全な治癒を可能にするために、より長く所定の位置に留まることができる。シートンドレンが残りのすべての膿瘍および感染のための十分な時間にわたって定位置にある限り、コイルインプラントと比較して、シートンドレンはより速い速度で分解し、瘻孔管および任意の側枝から排出することができる。シートンドレンがコイルよりも速く吸収されるので、患者は装置の構造が視覚的に残ることが無いまたは瘻孔を考えなくてよいことが有利である。シートンドレンがインプラントよりも速く吸収されるので、シートンはコイルインプラントのように長い間必要ではないので、患者は、内部開口治癒プロセスの間に外科医のところに除去のために戻る必要はない。
【０１６９】
また、インプラントは、粘膜の欠損の再構築および粘膜層の形成を可能にするのに十分長い期間（例えば、１週間より長い間）適所に留まる。この粘膜層は、細菌のシールとして作用し、管の再感染を糞便の侵入から防ぐ。括約筋閉鎖機構と関連して、粘膜層の再構築は、糞便が管に入るのを防ぐ。
【０１７０】
インプラントコイルおよび排液シートンは、治癒剤および抗菌剤（例えば、幹細胞、銀イオン、銀粒子、抗生物質、抗菌剤など）をドープまたは充填することができる。
シートンは、その長さに沿って異なる速度でシートンが吸収される、異なる生体吸収性のものであってもよい。
【０１７１】
シートンは、異なる生体吸収性を有していてもよく、排液の遠位部は近位部よりも迅速に吸収される。このシートンのこの異なる生体吸収性は、完全に吸収されるまで、近接部を介してコイルに付着したままのシートンをもたらす。有利には、これにより外部開口部を閉じて、外部開口部を通ってシートンが引き抜かれる可能性がなくなる。
【０１７２】
シートンは、シートンの近位部がより迅速に吸収する異なる生体吸収性であってもよく、この場合、シートンに対する閉鎖装置の固定構造は、シートンの完全な吸収よりも早い時期に破壊され得、外部開口を通って（患者または医師によって、または自然落下して）除去される。
【０１７３】
両方の異なる吸収性の実施形態において、全シートンは、管の完全治癒（および排液）時間（例えば、１０週間）のために適所にとどまらなければならない。
インプラントコイルの構築に使用される生体吸収性材料、または排液シートン、またはその両方は、以下に列挙されるような天然ポリマーまたは合成ポリマーの両方であり得る。
【０１７４】
天然ポリマー
・フィブリン
・コラーゲン
・キトサン
・ゼラチン
・ヒアルロン酸
合成ポリマー
・ＰＬＡ、ＰＧＡ、ＰＬＧＡ、ＰＣＬ、ポリオルトエステル
・ポリ（ジオキサノン）
・ポリ（無水物）
・ポリ（トリメチレンカーボネート）
・ポリホスファゼン
使用される材料の選択は、以下の要因を考慮に入れて行うことができる。
【０１７５】
ポリマー分解を加速する要因：
・より親水性のバックボーン。
・より親水性の末端基。
・骨格中のより反応性の加水分解基。
・より結晶化度が低い。
・より多孔性。
・より小型の装置サイズ。
【０１７６】
本発明のインプラントコイルは、多くの技術によって送達することができる。ある場合には、コイルは、コイル送達機構によって送達される。この場合、インプラントコイルは、送達機構と結合するためのインターフェース領域を有することができる。
【０１７７】
肛門周囲の瘻孔治療装置は、瘻孔を取り囲むバルク組織に挿入されるように構成されたテーパー部を有するインプラントコイルを備えることができる。インプラントコイルは、コイルを回転させて瘻孔を取り囲む組織を内側に引っ張るためのドライバ器具と係合するように構成されたドライバインターフェース部を有することができる。このようなインプラントコイルの利点は、
・括約筋の複合体の深部に送達され、筋肉の欠損部におけるより強い固定および括約筋の並置を可能にする能力
・送達機構が螺旋状にはずれることができ、送達機構と同じ管を通って送達機構を逆転させて、組織へのさらなる損傷を防止することができる能力
・直腸の粘膜が括約筋の複合体に向かって引き下げられることを防止する
・肛門管上皮の神経終末との干渉による痛みの減少をもたらす、肛門管上皮を通り過ぎる能力
・粘膜下深部への送達により細菌がたどるのを防止することにより、新しい粘膜内層が瘻孔の内部開口に形成される
そのようなインプラントコイル２００の１つが図５７に示されており、テーパセクション２０２と、この場合、その長さに沿って実質的に均一な横方向範囲を有する直線コイルセクション２０１によって提供されるドライバインターフェース部とを備える。インプラントコイル２００は、先端２２０と、移行領域２０３と、後端部２２１とを有する。コイルのテーパー部２０２は、先端２２０から移行領域２０３まで延びており、ドライバインターフェース部２０１は移行領域２０３から後端２２１まで延びている。他の実施形態に記載されているように、コイルのテーパー部は、先端２２０と移行領域２０３との間の横方向の広がりが減少することに留意されたい。先端２２０は、例えば、図１４ないし１７に示されるような尖った組織挿入先端を有してもよい。
【０１７８】
インプラントは、コイル体構造である。インプラントの先端は最大のコイルであり、最初は適切なマージンで組織欠損を取り囲んでいる。インプラントが前進するにつれて、先端は、インプラントを効果的に固定する大きな表面積を提供する。後続のコイルの各々は、固定および圧縮機能をもたらす（追加する）。後端に向かう最も小さいコイルは、組織圧縮の最大量をもたらす。インプラントが組織内に向けられるにつれて、各コイルは捕捉された組織を組織欠損の中心に向かってさらに圧縮し、周囲の組織を内方に効果的に完全に圧縮する。組織が接近することにより組織が一緒に治癒することを可能にする。この圧迫は、直腸内に生成された圧力に対して効果的な密閉を提供し、糞便路への通過する便の侵入を防ぎ、再感染を防止する。インプラントコイルのより小さい直径は、捕捉された組織を分離して保持し、治癒プロセスまたは異物が組織欠損に入るのを防止する。これは、前進皮弁（皮膚フラップ）およびＬＩＦＴ処置等の縫合および縫合に基づく外科的技術よりも大きな利点である。
【０１７９】
この圧縮は、インプラントの中心部全体の組織が接近することを確実にする。最も近位の表面では、組織の接近は、インプラントおよび組織欠損上の直腸の治癒粘膜内層への支持をもたらす。したがって、治癒組織は、治癒プロセス中にインプラントによって完全に支持され、直腸内で発生することができる１５０ｍｍＨｇおよび２００ｍｍＨｇ以上の圧力下で生存が可能である。
【０１８０】
コイルは、粘膜の表面より下の（所定の深さで）粘膜下に送達される。これは、細菌の密閉障壁を提供するために、直腸粘膜表面に完全な粘膜密閉が存在することを確実にするためである。表面のすぐ下のインプラントにより、組織を完全に圧縮するために内側に引っ張り、粘膜治癒プロセスを支援する。
【０１８１】
インプラントが組織に変わると、圧縮はコイルの深さに沿ってより大きくなり（漸進的圧縮）、インプラント内部に捕捉された管の長さは完全に圧縮される。組織の接近は、治癒過程を助ける。
【０１８２】
この実施形態および他の実施形態では、インプラント本体は、（筋肉内への）前縁が後縁よりも大きな直径を有する開放テーパー形状のコイル本体（例えば、クロスバーまたは他のセンタリング機構なし）の形態である、（直腸表面）。後部は先導部よりも小さい直径を有する。コイルは開いた形状であるため、本体の近位端または遠位端のいずれにも内向き突出部がない。この開いた形状因子は、インプラントを組織本体内に所定の深さ（テーパーに依存する）まで駆動することを可能にし、漸進的な組織圧縮をもたらす。
【０１８３】
インプラントコイルの少なくともドライバインターフェース部は中実であり、ある場合には、インプラントコイルの全てが中実である。代替的に、上記および下記のように、インプラントコイルまたはその少なくとも一部は中空であってもよい。
【０１８４】
この実施形態では、好ましくは、治療装置はまた、上述したタイプのシートンを含む。いくつかの場合には、シートンは、送達中にインプラントコイルに取り付けられるか取り付けられず、コイルがその場にあるときにコイルから延びるように取り付けられ得る。いくつかの場合において、シートンは、括約筋の複合体に埋め込まれ、シートンの端部が瘻孔管の外部開口を通って突出するように導かれてもよい。
【０１８５】
インプラントは、記載された任意の適切な送達装置を用いて送達される。ある場合には、送達装置は、インプラントコイルと結合されて、コイルを回転させて瘻孔を囲む組織を内側に引っ張るために使用されるドライバ器具を含む。ドライバ器具は、好ましくは、インプラントコイルのドライバインターフェースと結合する。
【０１８６】
場合によっては、ドライバ器具は、インプラントコイルのドライバインターフェースと係合するように構成されたドライバコイルを備える。ドライバコイルは、インプラントコイルの対応するドライバインターフェース部との係合のために、その長さに沿って実質的に均一な横方向範囲を有することができる。
【０１８７】
図５８および５９に示す一実施形態では、ドライバコイル２０５は、インプラントコイルのインターフェース部２０１と結合するために中空である。
図５８および５９は、中実インプラントコイル２０６が真っ直ぐな中空送達コイル２０５によって送達されるアセンブリ２０４を示す。コイルインプラント２０６は、真っ直ぐな外形のセクション２０７とテーパー状のセクション２０８とを有する。真っ直ぐな外形のセクション２０７は、送出コイル２０５の内部チャネル内でインターフェース２０９まで嵌合することにより、中空コイル２０５が回転され、送出コイル２０６が送出用に回転する。
【０１８８】
全ての場合において、送達コイルの中空セクションは、単一巻き、複数回巻きまたはその一部、または構造全体を含み得る。
図６０および６１は、中空インプラントコイル２１１が真っ直ぐな中実送達コイル２１２によって送達されるアセンブリ２１０を示す。コイルインプラント２１１は、真っ直ぐな外径セクション２１３とテーパー状のセクション２１４とを有する。真っ直ぐな中実の送達コイル２１２は、中空コイルインプラント２１１の内部チャネル内でインターフェース２１５まで嵌まり、これにより中実送達コイル２１２が回転し、中空コイルインプラント２１１が回転して送達される。
【０１８９】
全ての場合におけるコイルの真っ直ぐなセクションは、単一ターン、複数ターン、またはその一部を含むことができる。
インプラントコイルの中空セクションは、全ての場合において、単一巻き、複数回巻き、またはその一部、または構造全体を含むことができる。
【０１９０】
配送システムには次の利点を有する。
・筋肉欠損においてより強い固定および括約筋の並置を可能にする、括約筋の複合体への深い送達を可能にするインプラントコイルの管を追従する能力
・螺旋状にはずれて後退させることができ、組織へのさらなる損傷を防ぐように送達と同じ管路を逆に通る能力
・直腸の粘膜が括約筋の複合体に向かって引き下げられることを防止する
・インプラントが、肛門管上皮を通り過ぎて送達され、肛門管上皮の神経への干渉により痛みを低くする
・粘膜下深部への送達により細菌がたどるのを防止する
これらの送達機構は、手動操作されるまたはトリガー操作されるユーザーインターフェースまたは同様のものに結合されていてもよい。
【０１９１】
瘻孔を治療するための現在の技術では、外科医は、瘻孔管の外部開口を識別し、外部開口、瘻孔管、および瘻孔の内部開口を通して慎重にプローブを挿入する。次に、プローブを直腸に通して戻し、局所化（ｌｏｃａｌｉｓａｔｉｏｎ）シートンまたは縫合糸をプローブの端部に取り付けられ、次いで、直腸および瘻孔管を通って瘻孔管の外部開口を通って出るまで引き戻される。局所化シートンは、その後結ばれる。
【０１９２】
本発明のインプラントおよび送達システムは、この周知の現状の技術と互換性がある。本発明では、プローブまたは局所化シートンは、インプラントコイルおよび／または排液シートンの先端をガイドするのに用いられることができる。
【０１９３】
インプラント本体は、いくつかの場合、遠位端（筋肉への前縁）が近位端（後縁、直腸表面）よりも大きい直径を有する「開いた」テーパー状のコイル体の形態であり、近位端部の遠位端よりも小さい直径を有する。コイルは開いた形状であり、したがって、本体の近位端または遠位端のいずれにも内向き突出部を有する。開いた形状の要因は、インプラントを所定の深さまで組織本体内に押し込むことを可能にする（テーパーに応じて、組織の漸進的な圧縮をもたらす）。
【０１９４】
開いたコイル設計は、粘膜層がインプラントの頂部を治癒することを可能にし、インプラントは、圧力が管を開くことを防止することによって粘膜層の治癒を支持し、新しく治癒した粘膜層を妥協する。インプラントが粘膜の下にあることにより、外部の直腸表面と干渉せず、インプラントをつかんだ状態から引っ張るまたはその体に沿って感染が広がるのに貢献する糞便と相互作用しない。このように、インプラントは、移植部位の上に連続的な粘膜表面の形成を促進する粘膜下送達に適している。
【０１９５】
ある場合には、インプラントは反時計回りの動きでのインプラントの回転運動を防止する反運動（反巻戻し）構造を有している。典型的には、インプラントは、駆動固定医療装置の通常の方向と一致する時計回りの運動で組織本体内に駆動される。しかし、インプラントはまた、反時計方向に組織内に駆動されてもよいことが理解されよう。巻き戻し防止構造は、送達中に容易にする時計回り運動の組織本体への前進駆動運動を促進するが、インプラント自体が作動しないようにするまたは自然創傷治癒および患者の人生の日々に経験した正常な生理学的な力の過程で緩むことに対する抵抗を提供する。
【０１９６】
反巻戻し構造は、以下の１つまたは複数を含むことができる。
−  返し、釣り針、矢じり等（図６２乃至図６５に示すインプラントの構造３０２等）のようなポジティブな構造。このようなポジティブな返しタイプの構造は、Ｘ、Ｙ、またはＺ平面に加えて、インプラントの固定を強化することができる。
【０１９７】
−  インプラント本体に沿ったトラフ構造等のネガティブな構造であって、そのようなトラフ構造は、正方形トラフ、トラフの先頭（ｌｅａｄ）、および／または正方形の逆トラフのうちの１つまたは複数であり得る。
【０１９８】
−  Ｖロックタイプでは、インプラントの本体に沿って針を組み込むことができる。針は、組織への進入を容易にするように形作られてもいてもよいが、インプラントが反対方向に動くことを可能にしない。針は挿入時に脂肪を押し付けて、逆方向に動くと露出されるようになっていてもよい。そのような複数の針は、インプラント本体の表面積（摩擦）を増加させ、インプラントが再巻き付けを防止する。
【０１９９】
−  表面改質／表面積の向上。インプラント本体の表面は、インプラントとそれが埋め込まれる組織との間の摩擦相互作用を増加させるために表面積を増加させるように改変されてもよい。
・機械的粗面化：
サンドブラスト、マイクロスタンピング（材料上の跡）を含んでいてもよい
・表面処理薬品：
インプラントの体表面を荒らす化学薬品に浸す（浸漬する）ことを含んでいてもよい
化学的フォトエッチングを含んでいてもよい
・製造プロセスにおける表面処理：
成形されたインプラントの設計のツーリング（ｔｏｏｌｉｎｇ）は、インプラントが型から取り除かれたときに、インプラントの本体に粗い特徴が残るというポジティブな構造を有していてもよい
・ヤモリの足（Ｓｅｔａｅ）の生態模倣のような表面「柱」：
上述のように、インプラントを挿入するために駆動コイルを使用することができる。駆動コイル（図６６に示すコイル４０４等）は、送達コイルの送達中の組織結合を最小にするために有利なピッチ４０２および直径４０３の寸法を有してもよい。
【０２００】
また、ドライバコイル表面４０５は、インプラントコイルの送達中およびデリバリコイルの収縮中の組織摩擦に関連するトルク要求を最小にするために、潤滑性を有するように（例えば、コーティングまたは表面処理または他の手段によって）構成されてもよい。
【０２０１】
送達コイルのコイルセクションは、インプラント送達前およびインプラント送達中に、インプラントを一時的にロックまたは固定する構造を含むことができる。このことは、インプラントの剥離および関連する送達問題を防止するために、インプラントと送達機構との間にポジティブな界面を提供する。
【０２０２】
インプラントが正しい位置および深さに送達されると、送達機構はインプラントから離脱／係合解除され、解剖学的構造から除去される。
駆動コイルは、インプラントとの界面を有し、駆動コイルが時計回り方向に回転したときにポジティブ（インターロック）となり、駆動コイルが反時計回り方向に回転したとき（またはその逆）にネガティブ（すなわち係合解除）の相互作用を可能にする。したがって、インプラントが時計回りの駆動コイル運動によって組織に送達されたとき、駆動コイルは反時計回りの方向に回転し、インプラントから係合解除され、組織から出る（または「戻る」）ことができる。
【０２０３】
インプラントは、完全な送達の前にインプラントが送達コイルから外れるのを防止する機構によって送達コイルに取り付けられることができる。したがって、インプラントコイルは、送達コイルから早期に外れることが防止される。
インプラントコイルの内部支持構造は、インプラントのネガティブ（谷）の構造にロックされるポジティブな構造（ピーク）を有していてもよい。ロックグリップを強化するために、このタイプのいくつかの機能があってもよい。
【０２０４】
インプラントにポジティブな構造が与えられ、ネガティブな構造が駆動機構の一部であるこの構成の逆もまた実施されてもよい。
代替的にまたは追加的に、インプラントは、摩擦／締まり嵌め／表面粗さによってインプラントドライバの内部開口に取り付けられてもよい。駆動コイルは、中空であり、中実インプラントを受け入れることができ、またはドライバは中実で、インプラントの中空部に挿入されることができる。
【０２０５】
駆動コイルの断面は、閉じた円形ではなくチャネルまたはスロットであり得る。このような断面を有するコイルは、より容易に製造可能であり得る。また、インプラントとのインターフェースをとるための（駆動コイルに対する）内部ロック構造の組み込みを可能にすることもある。
【０２０６】
インプラントは、駆動コイルのような駆動機構に接続される。ある場合には、インターフェースは、駆動機構に当接するフレアまたは段部を含む。このようなフレアまたは段部３０１の１つは図６２乃至図６５に示されている。このようなフレアは、インプラントの押し込み点と、インプラントを組織体内に駆動するための力の伝達とを提供する。
【０２０７】
フレアは、１つの態様では前進運動（時計回りの動きが組織の本体内に駆動される）であり、インプラントが後退運動（巻き戻し／反時計回り）である、一方向（例えば、時計回り）の動きのみを可能にする返しまたは反巻戻し構造としても作用してもよい。
【０２０８】
このような返し構造は、フレア表面積を駆動コイル界面表面積よりも大きくすることによって達成されることができる。
フレアは、インプラント駆動力、ドライバアタッチメントカップリング、および／または反運動制御（反巻戻しは時計回りまたは反時計回りであり得る）に最適なインプラント本体に沿ってどこにでも配置され得る。
【０２０９】
インプラントコイル上のこのような固定構造の代替として、類似の構造が送達コイルの係合表面に設けられていてもよいことが理解されよう。
インプラントは、ある場合には、コイル状ボディ構造の形態である。インプラントの遠位端は最大のコイルであり、遠位端は最初に適切なマージンで組織欠損を取り囲む。インプラントが前進するにつれて、遠位部は、インプラントを効果的に固定するための大きな表面積をもたらす（各後続のコイルは、固定および圧縮機能をもたらす（加える））。最小の近位コイルは、組織圧縮の最大量をもたらす。インプラントが組織内に回転するにつれて、各コイルは捕捉した組織を組織欠損の中心に向かってさらに圧縮し、周囲の組織を内方に効果的に完全に圧縮する。組織の近似は、組織が一緒に治癒することを可能にする。この圧縮は、直腸内に生成された圧力に対して効果的な密封をもたらし、瘻孔管への通過する糞便の侵入を防ぎ、再感染を防止する。インプラントコイルのより小さい直径は、捕捉された組織が分離しないように保持し、治癒プロセスの停止または異物が組織欠損に入るのを防止する。これは、前進皮弁（皮膚皮弁）およびＬＩＦＴ処置などの縫合および縫合に基づく外科的技術に優る利点である。
【０２１０】
圧縮は、インプラントの中心部全体の組織の近似を確実にする。最も近位の表面では、組織の近似は、インプラントおよび組織欠損上の直腸の治癒粘膜内層に対する支持をもたらす。したがって、治癒組織は、治癒プロセス中にインプラントによって完全に支持され、直腸で生成される１５０ｍｍＨｇおよび２００ｍｍＨｇ以上の圧力で生存することができる。
【０２１１】
好ましくは、コイルは、粘膜の表面下で（所定の深さで）粘膜下送達される。これは、直腸粘膜表面に完全な粘膜密封が存在し、細菌の密封障壁をもたらすことを確実にする。表面直下のインプラントを用いて、組織は完全な圧縮のために内側に引っ張られ、粘膜治癒プロセスを支援する。
【０２１２】
インプラントが組織に変わると、圧縮はコイルの深さに沿ってより大きくなり（漸進的圧縮）、インプラントの内部で捕捉された管の長さは完全に圧縮され、組織が近くまで接近することにより治癒プロセスを助ける。
【０２１３】
インプラントおよび送達システムは、現在の外科技術と互換性がある。
外科医が組織管の準備を完了すると、装置の排液を、管を局在化するために使用された瘻孔プローブまたはシートン／縫合の直腸端に付着される。
【０２１４】
プローブ／シートンは、インプラントの大きな遠位部が直腸壁に当接するまで、外部開口から瘻孔管を通して外科医に向かって引っ張られる。インプラントコイルは、内部管の開口と同心になるように整列される。
【０２１５】
装置の排液は、瘻孔プローブまたは局在化シートンに結びついている。
一実施形態では、排液シートンは、インプラントの遠位端およびハンドルの長さにわたって延び、駆動シャフトまたはハンドルの近位部に固定され得る。
【０２１６】
インプラントおよびドライバのインターフェースでは、インプラントが送達されると排液シートンを自動的に切断するために切断機構（例えば、手バサミ、ギロチン等）が設けられていても良い。次いで、ハンドル／送達システムは、外科手術領域から容易に取り外され得る。
【０２１７】
別の実施形態では、牽引力を維持するためのインプラント（インプラントの送達）中に、排液シートンがハンドル／駆動機構に固定されている。インプラントが完全に埋め込まれると、ハンドルは、排液シートンから（自動または手動で）切り離される。余分な排液シートン材料は、直腸の表面の閉鎖された組織管の場所の外面でトリミングされてもよい。
【０２１８】
図７２および図７３を参照すると、内部開口９０２での圧縮により、シートン９０５は組織管９０１の長さに沿って固定位置に保持される。インプラント開口９０３は、組織開口９０４を排液シートン９０５の周りで（その上に）圧縮し、所定位置に固定する。排液シートンは、特殊な設計／配置された圧縮範囲を有してもよく、対応する構造を有して、この範囲９０６におけるシートンの固定を容易にしてもよい。
【０２１９】
ドレーン管は、インプラントによって加えられる半径方向の力によって内側の組織管の圧縮力が内向きに圧縮されるため、適所に固定される。
排液シートンの固定をさらに強化し、ドレーンシートンが管から遠位または近位に移動するのを防止するために、排液シートンは、固定構造９０６と共に全長、部分長さ、およびインプラント組織圧縮における規定／所定の圧縮範囲、またはこれらの任意の組み合わせを含んで構成されていてもよい。
【０２２０】
図６８を参照すると、結び目５０１は、ドレーンシートン５０２の長さに沿って、またはインプラント圧縮範囲の特定の位置等の特定の位置に沿って実装されることができる。
図６９を参照すると、球、円筒、三角形、および他の多面の形状６０２が、排液シートン６０１の長さに沿って、またはインプラント圧縮区域の長さのような特定の位置に成形される等して設けられていても良い。
【０２２１】
図７０を参照すると、排液シートンの固定を向上させ、返し７０３，７０４は、排液シートン７０２の長さに沿って、またはインプラント圧縮区域のような特定の位置に組み込まれることができる。返しは、いずれかの方向の動きを防止するために、外部７０３および内部開口方向７０４の両方に面することができる。
【０２２２】
排液シートンの固定を向上させるために、８０１，８０２，８０４（図７１）のような針は、排液シートン８０３の長さに沿って、またはインプラント圧縮区域のような特定の位置に組み込まれることができる。針は、いずれの方向の動きも防止するために、外部８０２および内部開口方向８０１の両方に面していてもよい。
【０２２３】
排液シートンは、純粋にドレーン管として、および／または組織の治癒を促進する足場として作用するように構築され得る。
向上した排液をもたらすために、シートンは、複数の周辺孔を有し得、（孔）を含み得る。断面におけるシートンの形状は、円形状、楕円形状、星形状、および十字形状のうちの１つ以上から選択されることができる。ドレーン管／シートンは、生体吸収性であるように構成されている。
【０２２４】
見込まれる材料の例としては、ＰＬＡ  およびＰＬＧＡ（ポリ（乳酸−グリコール酸共重合体））（ＰＬＧＡ、ＰＣＬ、ポリオルトエステル、ポリ（ジオキサノン）、ポリ（無水物）、ポリ（トリメチレンカーボネート）、ポリホスファゼン）であり、および／または天然の生体吸収性材料は、フィブリン、コラーゲン、キトサン、ゼラチンを含むことができ、ヒアルロン酸は、生体吸収性ポリマーであり、一般に生体吸収性材料として使用されるので、選択される材料である。
【０２２５】
この形状は、残存管の排液を促進するように設計されている。この形状は、管の治癒を改善／向上させるための足場としても作用し得る。
複数の周辺穴／孔は、排液／シートンの閉塞を防止するために管の排液を向上させる。
【０２２６】
足場を増強するために、複数の周辺穴／孔は、組織統合を増強し、そして管の創傷治癒を向上させる足場の構造として機能し得る。
組織創傷治癒を向上および改善させる組織足場として様々な材料を使用することができる。これらの材料の多くは、生体吸収性ポリマーまたは天然組織材料である。見込まれる材料の例としては、ＰＬＡ  およびＰＬＧＡ（ポリ（乳酸−グリコール酸共重合体））（ＰＬＧＡ、ＰＣＬ、ポリオルトエステル、ポリ（ジオキサノン）、ポリ（無水物）、ポリ（トリメチレンカーボネート）、ポリホスファゼン）であり、および／または天然の生体吸収性材料は、フィブリン、コラーゲン、キトサン、ゼラチンを含むことができ、ヒアルロン酸は、生体吸収性ポリマーであり、一般に生体吸収性材料として使用されるので、選択される材料である。
【０２２７】
本発明はまた、インプラントの送達中に組織を安定化させて、インプラントの送達中に粘膜層の集積およびねじれを防止するメカニズムをもたらす。そのような組織相互作用を防止することによって、送達力を低減させることができ、より信頼性が高く再現可能な送達深度を達成することができる。
【０２２８】
粘膜組織を安定させる１つの機構は、送達機構に取り付けられ、未送達インプラントを取り囲む中空の「トランペット、コーン、シールド、またはピラミッド」タイプの要素を利用することによって達成される。１つのそのような安定化装置９５２は、図７４および７５に表されている。
【０２２９】
「トランペット」は、粘膜ライニングの表面上に接触し、以下の機構のうちの１つ以上を使用して、インプラントの送達前および送達中に組織を安定化されることができる：
−  圧力−トランペットは、粘膜表面に圧力を加えるために、バネ負荷（９５３）またはその他であってもよい。圧力は、粘膜表面に当接している間に、使用者の送達機構の適用による手動の力であってもよい
−  スパイクタイプの構造。粘膜表面（９５４）と接触するトランペットの表面は、粘膜表面を貫通し、それによって粘膜ライニングの回転またはねじれを防止する構造を含むことができる。これらの構造は、以下の形態であってもよい：
○針
○極微針
○マイクロスパイク（９５１）
○城郭風の構造（チェスセット内のルークの構造に似ている）
−  構造は以下の手段によってトランペットに組み込み込まれていてもよい：
○オーバーモールド
○射出成形
○圧入
−  表面処理
○ゴム入り表面
○表面改質
○表面粗面化（サンドブラスト等）。
【０２３０】
図７６乃至図７９を参照すると、コイルの形態のガイドまたはドライバ１１０１と、インプラント要素１１０２とを含むシステムが示されている。この場合、ガイドコイル１１０１は中空であり、剛性材料で作られ、インプラント可能要素１１０２を含む。インプラント可能要素１１０２は、可鍛性材料から作製されてもよく、生体吸収性であってもよい。ガイドコイル１１０１は、組織への貫通を容易にするための尖った先端１１０３を有する。尖った先端部１１０３は、単にガイド１１０１の一部、またはガイド１１０１およびインプラント可能要素１１０２の一部、または単にインプラント可能要素１１０２のみであってもよい。
【０２３１】
ガイドコイル１１０１は、使用時に、ガイド１１０１が瘻孔管の内部開口を取り囲むように、組織欠損よりも大きい遠位径を有する（図７８）。ガイドコイル１１０１は、適切な量の括約筋組織を捕捉するために、組織の粘膜１１０５の下の深さまで瘻孔管１１０４の内部開口を取り囲む組織内に押し込まれる。一旦、深さに達すると、ガイド１１０１は組織から巻き戻され、組織内に固定され、瘻孔管を取り囲むインプラント可能な要素１１０２を残す（図７９）。
【０２３２】
組織からガイド１１０１が除去され、インプラント可能な要素１１０２が組織内に固定されると、この場合のインプラント可能な要素１１０２は、矢印１１０６の方向に引っ張られることによって作動する。インプラント１１０２は、組織の遠位に固定され、（巾着縫合糸またはボアコンストリクター蛇のように）組織管を閉鎖させるように崩壊および圧縮する（図７９）。
【０２３３】
ガイドコイル１１０１は、直線コイルまたはテーパーコイルであってもよい。コイルは、中空またはレール型支持体または内部支持体（中空のインプラント要素の内部の取り外し可能なワイヤ等）であってもよい。
【０２３４】
インプラント要素１１０２は、様々な方法で固定されていてもよい。インプラント要素１１０２の遠位端に、単一の（または複数の）返し１１０７またはロック機構を配置されることができる。返し１１０７は、インプラント要素１１０２が組織の一方向（図８０）に貫通することを可能にするが、反対方向に引っ張られると、返し１１０７はインプラントを捕捉して適所に固定する（図８１）。
【０２３５】
アンカーは、インプラント要素１１０２の遠位端に取り付けられた、「傘形状」または「パラシュート」形状の要素１１０８であってもよい。「パラシュート」は、最初は配送中に格納され（図８２）、駆動要素の抽出時に開くようになっている（図８３）。パラシュート１１０９の大きな表面積は、アンカー位置で組織を捕捉し、インプラント要素１１０２を適所に固定する。
【０２３６】
フィラメント１１１０のような小さな「毛」状の複数のものを、全周囲、特定の４分の１を覆う遠位表面の長さに沿って、および／またはインプラント要素１１０２の遠位表面を断続的に覆うように設けられていても良い。このキル針状の構成は、遠位端の表面積を増大させ、インプラント要素１１０２を組織内に固定する。剛毛または針１１１０は、駆動ガイドに収納されたときに、最初に崩壊／圧縮される（図８４）。ガイドが組織から取り外されると、剛毛が露出し、周囲の組織に固定される（図８５）。
【０２３７】
ある場合には、インプラント要素１１０２はアンカーを有さない。この場合、インプラント要素１１０２は、所望の位置に送達された後にガイド機構を取り外す際に押し器１１１１によって位置決めされてもよい（図８７）。
【０２３８】
移植可能要素１１０２は、少なくとも部分的に生体吸収性であってもよい。要素は、遠位に組織内に固定された縫合糸を含むことができる。ガイド１１０１が取り外されると、縫合糸は近位に引っ張られ、次いで巾着縫合糸のように閉じられた管を締め付ける。
【０２３９】
インプラント要素は、ニチノールのような形状記憶材料または形状記憶ポリマーで作ることができる。それは能動的（電気、機械、光、磁気等の刺激を必要とする）または受動的（ヒートセット）であり得る。
【０２４０】
インプラント要素１１０２は、組織内に送達するためにガイド要素１１０１内に格納されてもよい。ガイド／駆動要素が所望の深さに達すると、ガイド要素は組織から巻き戻される。ガイドが組織から解かれるにつれて、固定されたインプラントはもはやガイドによって支持されず、インプラントの露出部分は組織管を自由に圧縮する。受動的形状に設定されたインプラント可能要素は、ガイド要素１１０１が組織から解かれるにつれて組織管を圧縮する。インプラント可能要素１１０２は、ガイド要素１１０１内に格納される前に予め形状設定されていてもよい。例えば、ニチノールコイルは圧縮状態に設定された形状であり、ガイド１１０１に挿入される。
【０２４１】
インプラント可能要素１１０２は、組織内に送達するために駆動／ガイド要素１１０１内に格納されてもよい。ガイド要素が適切な深さに達すると、ガイド１１０１が組織から巻き戻され、インプラント要素１１０２が組織内に固定されたままにする。ガイド要素１１０１が組織から除去されると、インプラント可能要素１１０２は、熱、光、電気信号等の任意の適切な手段によって作動され、インプラント可能要素の状態を変化させ、圧縮状態に変換されるインプラント可能要素を作動させ、これにより組織管を圧縮して閉じさせる。患者の体熱は受動的にインプラント要素を作動させて圧縮状態に変換することができる。
【０２４２】
ガイド／送達機構が組織内に前進されるときに、遠位先端に鋭利な先端を設けて、組織の中に貫通させることができる。
１つの構成では、コイルガイド／駆動要素１１０１の遠位先端および前縁は、挿入時および組織全体にわたる前進中に組織の貫通を容易にする鋭い先端を有する（図７６）、１１０３。インプラント要素１１０２は、組織内に正しく配置されたときに、鋭い先端を通過することができる。
【０２４３】
別の構成（図８８）では、インプラント要素は、挿入時および組織全体にわたる前進中に組織の貫通を容易にする遠位端に鋭利な先端１１１２を有してもよい。
いくつかの場合では、鋭利な先端が駆動要素とインプラント要素との両方に組み込まれてもよい。
【０２４４】
いくつかの場合では、インプラント要素は、折りたたまれた送達構成、展開された構成、および作動された構成を有し得る起動可能要素である。作動可能なインプラント要素は、場合によってはバルーンのような膨張要素である。
【０２４５】
また、図９０および図９１は、瘻孔管の内部開口を閉じるために使用されるコイル状のバルーン１２０１を示す。バルーン１２０１は、瘻孔管１１０４の周りにコイル状に送達される（図９０）。
【０２４６】
バルーン１２０１は、展開時に螺旋状のバルーン形状を形成するのを支援する記憶合金または同様のレールに取り付けられてもよい。
一実施形態では、バルーン１２０１は、瘻孔管の周りに送達された後に直線コイル構造を形成する。
【０２４７】
別の実施形態では、バルーン１２０１は送達後にテーパー付きコイル構造を形成し、バルーンのより大きいコイルが狭い端部よりも組織のより深いところに配置されている。
バルーン１２０１は、バルーンを定位置に配置する中空の送達コイルを使用して送達されることができる。次いで、バルーンは送達コイルから押し出され、所定の位置に残される。
【０２４８】
いったん定位置に置かれると、バルーン１２０１は、生理食塩水、または他の液体または気体１２０３で膨らまされる（図９１）。膨張の効果は、瘻孔管１２０２を取り囲む組織を圧縮し、それによって瘻孔管の内部開口を閉じることである。この圧縮は、直腸内に生成された圧力に対して効果的な密封をもたらし、糞便が通って瘻孔管に入るのを防ぎ、再感染を防止する。
【０２４９】
バルーンは、生体吸収性材料または類似物から構成されてもよい。瘻孔管の治癒に相当する期間の後、バルーン材料は、バルーン材料が充填されている流体（例えば生理食塩水）が組織に曝され、また吸収されるのに十分な程度まで分解されることができる。時間が経つにつれバルーン全体が吸収される。
【０２５０】
送達機構は、組織を通る進行を容易にする尖った先端を有してもよい。
バルーンは、コイル状の中実はり型送達機構の後ろで引きずられ、バルーンを展開するために取り外されてもよい。
【０２５１】
別の実施形態では、バルーンは、非生体吸収性材料から作製され、瘻孔管の治癒後の適切な時間枠で除去される。
バルーンが膨張する圧力は可変であってもよい。バルーンは、管開口の十分な閉鎖に対応する圧力まで膨張され得、それによって、送達、解剖学的構造、および管腔直径の変動を克服する。
【０２５２】
プログラム可能な電子コントローラを使用して、バルーンを適切な圧力に自動的に膨張させることができる。
代替的に、アナログ圧力計またはデジタル圧力計を設けて、バルーン圧を臨床医に示すことができる。
【０２５３】
作動可能な圧縮要素（バルーン）は、同様に、発泡体、予め形成された構造（例えば、ニチノールケージまたはステント様構造）、または折り畳み可能なコイルまたは他の同様の構造で形成されている。
【０２５４】
図９２および図９３を参照すると、インプラント要素１３０１は、熱、光、電流、または他のエネルギー源によって作動される形状記憶材料（ニチノール、形状記憶ポリマー複合材）から作製することができる。
【０２５５】
インプラント要素１３０１が適切な送達／ガイド要素１３０２によって所望の深さに送達されると（図９２）、インプラント１３０１は、熱、光、電気信号、または他の方法によって作動され、インプラント１３０１の状態を変化させ、インプラントを圧縮状態に変換して、組織路管１３０３を閉じるように圧縮する（図９３）。患者の体熱は受動的にインプラントを作動させて圧縮状態に変換することができる。
【０２５６】
圧縮コイルは、送達チューブ１４０１を組織管の内部開口から所定の距離だけ離して配置することによって送達されてもよい（図９４）。チューブの内側には、インプラント要素１４０２が収容されている。送達チューブが所望の深さに挿入され、インプラントコイルがチューブから押し出される。インプラントコイルがチューブ開口を出ると（図９５）、コイルの連続的な直径が組織を囲み、組織を圧縮して、管の閉鎖をもたらす。
【０２５７】
別の実施形態（図９６，９７）では、インプラント要素１４０３の各追加のコイルは、管を圧縮して閉鎖を助けるために直径がより小さい。
コイルは、形状記憶材料で作られることができる。それは直線コイルとして送達され、作動すると組織管を圧縮する。
【０２５８】
別の方法では、インプラント材料は、形状が定められたものではなくまた形状記憶材料ではないが、送達管に組み込まれたダイ（ｄｉｅ  ）によって形成されている（図９８）。コイルが送達管を出て、ダイ１４０４を通過するとき、インプラントコイルは必要に応じて形成される。生成されたコイルは、組織管を囲み、管を圧縮する。
【０２５９】
図９９乃至図１０２に示すように、インプラント要素１４０６は、粘膜表面に配置された送達機構１４０５を介して送達されてもよく、その結果、瘻孔管の周りに「巻き付け」が生じ、圧縮領域１４０７を形成し、管の閉鎖が得られる。インプラントは、直線形状またはテーパー状に予め形成されていてもよい。インプラント要素は、組織を通る進行を容易にする鋭い先端１４０８を有してもよい。
【０２６０】
ある場合には、インプラントは、複数の要素１５００を含むことができる。そのようなインプラントの１つを図１０３および１０４に示す。複数の要素は、瘻孔管の周囲を個別に送達される。
【０２６１】
各要素は、前に記載したように、予め形成されてもよく、または送達時に形成されてもよいし、または作動可能であってもよい。要素は、予め形成された、または作動された状態で同じ大きさであってもよい。あるいは、先端要素は、直径がより大きくてもよく、次の要素は次第に小さくなっていてもよい。
【０２６２】
臨床医は、管の適切な閉鎖を達成するために展開すべき要素の数を決定してもよい。
このデバイスは、以下のうちの１つ以上を実行できる。
・様々な瘻孔の生理機能に適応する。
・管の内部開口を塞いで密封する。
・糞便に関する管の再感染を防止する。
・括約筋機能を維持する。
・瘻孔治癒を促進する。
・治癒中の排液を促進する。
【０２６３】
肛門周囲瘻孔治療装置は、括約筋の確保、瘻孔管内部開口の閉塞、および排液および組織治癒の促進を確実にする。
装置の固定および密閉機構は、テーパー付きコイルで構成されることができる。コイルの形状は、括約筋の複合体に展開されるにつれて組織を引き寄せるように設計されているため、強い固定が得られるだけでなく、重要なことには、瘻孔管の再感染を防止する効果的な圧縮密閉は、組織治癒を促進するために、組織が近くまで接近することを防止する。
【０２６４】
肛門周囲瘻孔治療装置は、括約筋および解剖学的状態および機能を維持し、再瘻造設を防止し、現在の治療法よりも治癒時間を改善させる。インプラントは、管の周囲の組織を内向きに圧縮することにより瘻孔の内部開口を閉鎖し、組織を近くに接近させ、異物に対して不浸透性の密閉を形成し、近似した瘻孔管全体の組織成長を促進する。
【０２６５】
ドレーン管は、膿瘍および残存するまたは新たに生成された滲出液および瘻管孔からの流体を治癒過程の時間を通じて排出するための、導管をもたらすのに使用されてもよい。このようなドレーンまたはシートンは、上記のもののいずれかであってもよい。
【０２６６】
インプラントは、横断面において任意の適切な形状とすることができる。例えば、インプラントの断面は、円形状、楕円形状、三角形状、多角形状、またはリボン状であってもよい。いくつかの場合では、インプラントは中空であってもよい。
【０２６７】
インプラントは、その後の除去が意図されていてもよく、または生体吸収性であり得る。
インプラントの典型的な材料には、
−  生体吸収性マグネシウム（ＭｇＦｅおよび他のマグネシウム合金を含む）は、ステンレス鋼および類似の金属の強度を提供するが、生体吸収性であるため、選択され得る材料となる。ＭｇＦｅ合金は十分に研究され、医療製品に使用されている。
【０２６８】
−  ＰＬＡ）およびＰＬＧＡ（ポリ（乳酸−グリコール酸共重合体））は、生体吸収性ポリマーであり、一般的に使用されている生体吸収性材料であり、７０年以上にわたって医療製品で十分に研究および使用されている。
【０２６９】
−  インプラントはまた、縫合用途に使用される他の一般的な材料から構築されていてもよい。
生体吸収性インプラントは、異物を拒絶する身体の自然な傾向による肛門周囲瘻孔の治療に有益であろう。
【０２７０】
装置の閉鎖インプラントは、治癒プロセス全体の間維持されてもよい。いくつかの場合では、インプラントは、直腸圧に耐え、管が再び開くことを防止するために、少なくとも１０週間、内管開口の閉鎖を維持するために、そのまま維持される。
インプラントは、瘻孔管の内部開口の完全な治癒を可能にするために、より長く所定の位置に留まることができる。
【０２７１】
インプラントは、粘膜の欠損の再構築および粘膜層の形成を可能にするのに十分長い期間（例えば、１週間より長い間）所定の位置に留まる。この粘膜層は、細菌の封止として作用し、糞便の侵入から管の再感染を防ぐ。括約筋閉鎖機構と関連して、粘膜層の再形成は、糞便が管に入るのを防ぐ。
【０２７２】
インプラントは、治癒および抗菌剤（例えば、幹細胞、銀イオン、銀粒子、抗生物質、
発明の範囲から逸脱することなく、ここに記載された発明の実施形態に修正および追加を加えることができる。例えば、ここに記載された実施形態は特定の特徴を指すが、発明は異なる特徴の組み合わせを有する実施形態を含む。発明は、記載された特定の特徴の全てを含まない実施形態も含む。
【０２７３】
発明は、上述した実施形態に限定されるものではなく、構造および詳細が変更されてもよい。
【符号の説明】
【０２７４】
１  直腸
２  肛門
３  内括約筋
４  外括約筋
５  歯状線
６  瘻孔管
７  内部開口
８  外部開口
９  肛門縁
１０  肛門挙筋
１１  コイル
１２  シートン
１３  シートン遠位端
１４  シートンアタッチメント
１５  コイル遠位チップ
１６  送達機構メンバー
１７  送達機構部材
１８  送達機構インターフェース
１９  内部開口粘膜表面
２０  粘膜表面
２１  内部開口
２２  圧縮括約筋筋肉組織
２３  コイル
２４  第１の端部
２５  第２の端部
２６  中間部
２７  コイル部材
２８  第１の端部
２９  送達機構インターフェース構造
３０  第１の端部
３１  第２の端部
３２  コイル部材
３３  第１の端部
３４  第２の端部
３５  尖った先端
３６  センター構造
３７  コイル部材
３８  送達機構インターフェース構造
３９  第２の端部
４０  送達機構インターフェース構造
４１  第１の端部
４２  尖った先端
４３  コイル部材
４４  センターシートン構造
４５  第１の端部
４６  第２の端部
４７  尖った先端
４８  送達機構インターフェース構造
４９  コイル部材
５０  センター構造
５１  シートンアタッチメント構造
５２  排水シートン
５３  排水シートン端部
５４  十字形シートン断面
５５  楕円形シートン断面
５６  円形シートン断面
５７  外壁中空円形シートン断面
５８  円形中空断面
５９  中空穿孔シートン
６０  第１の端部
６１  第２の端部
６２  中空センターセクション
６３  ミシン目
６４  中空星形シートン断面
６５  中実星形シートン断面
６６  中空穿孔星形シートン
６７  第１の端部
６８  第２の端部
６９  中空構造
７０  ミシン目
７１  十字形シートン断面
７２  編組シートン断面
７３  外皮
２００  インプラントコイル
２０１  コイルストレートセクション
２０２  コイルテーパセクション
２０３  ストレートセクションからテーパセクションへの移行
２０４  中空送達アセンブリ
２０５  中空送達コイル
２０６  中実コイルインプラント
２０７  コイルストレートセクション
２０８  コイルテーパセクション
２０９  インターフェース
２１０  中実送達アセンブリ
２１１  中空コイルインプラント
２１２  中実送達コイル
２１３  コイルストレートセクション
２１４  コイルテーパセクション
２２０  先端
２２１  後端
【図１】
2019520107.tif 000003
【図２】
2019520107.tif 000004
【図３】
2019520107.tif 000005
【図４】
2019520107.tif 000006
【図５】
2019520107.tif 000007
【図６】
2019520107.tif 000008
【図７】
2019520107.tif 000009
【図８】
2019520107.tif 000010
【図９】
2019520107.tif 000011
【図１０】
2019520107.tif 000012
【図１１】
2019520107.tif 000013
【図１２】
2019520107.tif 000014
【図１３】
2019520107.tif 000015
【図１４】
2019520107.tif 000016
【図１５】
2019520107.tif 000017
【図１６】
2019520107.tif 000018
【図１７】
2019520107.tif 000019
【図１８】
2019520107.tif 000020
【図１９】
2019520107.tif 000021
【図２０】
2019520107.tif 000022
【図２１】
2019520107.tif 000023
【図２２】
2019520107.tif 000024
【図２３】
2019520107.tif 000025
【図２４】
2019520107.tif 000026
【図２５】
2019520107.tif 000027
【図２６】
2019520107.tif 000028
【図２７】
2019520107.tif 000029
【図２８】
2019520107.tif 000030
【図２９】
2019520107.tif 000031
【図３０】
2019520107.tif 000032
【図３１】
2019520107.tif 000033
【図３２】
2019520107.tif 000034
【図３３】
2019520107.tif 000035
【図３４】
2019520107.tif 000036
【図３５】
2019520107.tif 000037
【図３６】
2019520107.tif 000038
【図３７】
2019520107.tif 000039
【図３８】
2019520107.tif 000040
【図３９】
2019520107.tif 000041
【図４０】
2019520107.tif 000042
【図４１】
2019520107.tif 000043
【図４２】
2019520107.tif 000044
【図４３】
2019520107.tif 000045
【図４４】
2019520107.tif 000046
【図４５】
2019520107.tif 000047
【図４６】
2019520107.tif 000048
【図４７】
2019520107.tif 000049
【図４８】
2019520107.tif 000050
【図４９】
2019520107.tif 000051
【図５０】
2019520107.tif 000052
【図５１】
2019520107.tif 000053
【図５２】
2019520107.tif 000054
【図５３】
2019520107.tif 000055
【図５４】
2019520107.tif 000056
【図５５】
2019520107.tif 000057
【図５６】
2019520107.tif 000058
【図５７】
2019520107.tif 000059
【図５８】
2019520107.tif 000060
【図５９】
2019520107.tif 000061
【図６０】
2019520107.tif 000062
【図６１】
2019520107.tif 000063
【図６２】
2019520107.tif 000064
【図６３】
2019520107.tif 000065
【図６４】
2019520107.tif 000066
【図６５】
2019520107.tif 000067
【図６６】
2019520107.tif 000068
【図６７】
2019520107.tif 000069
【図６８】
2019520107.tif 000070
【図６９】
2019520107.tif 000071
【図７０】
2019520107.tif 000072
【図７１】
2019520107.tif 000073
【図７２】
2019520107.tif 000074
【図７３】
2019520107.tif 000075
【図７４】
2019520107.tif 000076
【図７５】
2019520107.tif 000077
【図７６】
2019520107.tif 000078
【図７７】
2019520107.tif 000079
【図７８】
2019520107.tif 000080
【図７９】
2019520107.tif 000081
【図８０】
2019520107.tif 000082
【図８１】
2019520107.tif 000083
【図８２】
2019520107.tif 000084
【図８３】
2019520107.tif 000085
【図８４】
2019520107.tif 000086
【図８５】
2019520107.tif 000087
【図８６】
2019520107.tif 000088
【図８７】
2019520107.tif 000089
【図８８】
2019520107.tif 000090
【図８９】
2019520107.tif 000091
【図９０】
2019520107.tif 000092
【図９１】
2019520107.tif 000093
【図９２】
2019520107.tif 000094
【図９３】
2019520107.tif 000095
【図９４】
2019520107.tif 000096
【図９５】
2019520107.tif 000097
【図９６】
2019520107.tif 000098
【図９７】
2019520107.tif 000099
【図９８】
2019520107.tif 000100
【図９９】
2019520107.tif 000101
【図１００】
2019520107.tif 000102
【図１０１】
2019520107.tif 000103
【図１０２】
2019520107.tif 000104
【図１０３】
2019520107.tif 000105
【図１０４】
2019520107.tif 000106
【国際調査報告】
2019520107.tif 000107
2019520107.tif 000108
2019520107.tif 000109
2019520107.tif 000110
2019520107.tif 000111
2019520107.tif 000112